(57)【要約】【課題】筒状のシートを溶着した後に溶断することにより排泄物を収納しうる排泄物収納袋を作成する技術において、シートの溶着及び溶断をより確実に行うことにより作成される排泄物収納袋の密閉性を確保して、収納袋からの漏れ出しを確実に防止しうるトイレ装置を提供すること。【解決手段】人が着座しうる便座部と、上記便座部の下方に配置される筒状体と、上記筒状体の内周面上に沿って配置しうると共に上記筒状体の軸方向長さより長い軸方向長さ寸法により形成された筒状のシートと、上記シートの幅方向端部を夫々保持して上記シートを送出しうるローラ部を備えたシート供給部と、上記シートを所定の長さ寸法において幅方向に沿って溶着した後に長さ方向において溶断することにより排泄物収納袋を作成しうるシート溶着溶断部とを有するトイレ装置であって、上記シート溶着溶断部の上記シートと当接する部位にはフッ素樹脂加工が施されている。【選択図】  図５
2009285297.tif 000002
【特許請求の範囲】
【請求項１】
人が着座しうる便座部と、上記便座部の下方に配置される筒状体と、上記筒状体の内周面上に沿って配置しうると共に上記筒状体の軸方向長さより長い軸方向長さ寸法により形成された筒状のシートと、上記シートの幅方向端部を夫々保持して上記シートを送出しうるローラ部を備えたシート供給部と、上記シートを所定の長さ寸法において幅方向に沿って溶着した後に長さ方向において溶断することにより排泄物収納袋を作成しうるシート溶着溶断部とを有するトイレ装置であって、
上記シート溶着溶断部の上記シートと当接する部位にはフッ素樹脂加工が施されていることを特徴とするトイレ装置。
【請求項２】
上記シート溶着溶断部は、フッ素樹脂コーティング加工が施されたヒートシール端子部と、上記ヒートシール端子部が固定された基部と、上記ヒートシール端子部に対向して配置されると共に上記シートを介して上記ヒートシール端子部に圧接しうる押圧部材とを有することを特徴とする請求項１記載のトイレ装置。
【請求項３】
上記シート溶着溶断部は、上記ヒートシール端子部に通電して上記シートを溶断するように構成されていることを特徴とする請求項２記載のトイレ装置。
【請求項４】
上記ヒートシール端子部は全体略板状に形成されると共に、基板部と、上記基板部の幅方向の略中央部に長さ方向に沿って基板突条部とを有し、
上記基部は、細長板状に形成され、厚さ方向一側面には上記ヒートシール端子部を収納しうる溝部が設けられ、
上記ヒートシール端子部は、上記溝部内において上記基板突条部が上記厚さ方向一側面よりも厚さ方向外方へ突出しうるように固定されていることを特徴とする請求項２に記載のトイレ装置。
【請求項５】
上記ヒートシール端子部の基板部の幅方向両端部は、上記反基板突条部方向へ折曲されて形成され、
上記ヒートシール端子部が上記溝部内に収納固定された場合には、上記溝部の対向する内側面部と上記基板部の幅方向両端部との間には、夫々、空隙部が形成されていることを特徴とする請求項２〜４のいずれか１項に記載のトイレ装置。
【請求項６】
上記筒状体は、截頭円錐台形状であって、下端部側に至るに従って径が小さくなるテーパ状に形成されていることを特徴とする請求項１〜５のいずれか１項に記載のトイレ装置。
【請求項７】
上記筒状体の内周面には、軸方向に沿って複数の突条部が所定間隔寸法をおいて形成され、上記ローラ部が上記シートの幅方向端部を夫々保持して上記シートを送出する場合には、上記複数の突条部により上記シートがガイドされて送出されうることを特徴とする請求項６に記載のトイレ装置。
【請求項８】
上記複数の突条部は、上記筒状体の上端部から下端部に亘って形成されていることを特徴とする請求項７記載のトイレ装置。
【請求項９】
上記ローラ部は、回転方向において互いに摺接するように一対に配置されたローラにより構成され、上記ローラ部は、ローラ軸方向において所定間隔をおいて互いに対向して配置され、
上記筒状体の複数の突条部は、上記対向する各ローラ部の間に配置されていることを特徴とする請求項８記載のトイレ装置。
【請求項１０】
上記複数の突条部は、互いに対向して設けられていることを特徴とする請求項９記載のトイレ装置。
【請求項１１】
上記シート溶着溶断部の下方にはシート押さえ部が配設されていることを特徴とする請求項１〜１０のいずれか１項に記載のトイレ装置。
【請求項１２】
上記押圧部材は、耐熱性を有する弾性樹脂素材により形成されていることを特徴とする請求項２〜１１のいずれか１項に記載のトイレ装置。
【請求項１３】
上記シート溶着溶断部は、上記ヒートシール端子部と上記押圧部材とを駆動しうる駆動部を有することを特徴とする請求項２〜１２のいずれか１項に記載のトイレ装置。
【請求項１４】
上記駆動部は、付勢部材により付勢されることにより、上記ヒートシール端子部と上記押圧部材との衝突時の衝撃を緩和しうると共に上記ヒートシール端子部と上記押圧部材との当接状態を保持しうる押圧力調整部を有することを特徴とする請求項１３記載のトイレ装置。
【請求項１５】
上記シート供給部には、上記シートが上記シート供給部に巻き込まれることを防止しうる巻き込み防止プレートが設けられていることを特徴とする請求項１〜１４のいずれか１項に記載のトイレ装置。
【請求項１６】
上記ローラ部による上記シートの保持状態を解放しうる解除部を有することを特徴とする請求項１〜１５のいずれか１項に記載のトイレ装置。
【請求項１７】
上記排泄物収納袋を収納しうると共に収納された上記排泄物収納袋を外部から取り出しうる引出部を有することを特徴とする請求項１〜１６のいずれか１項に記載のトイレ装置。
【請求項１８】
上記便座部を開閉しうる蓋部を有し、上記蓋部が開放されている場合には上記シート供給部の作動が停止しうると共に上記蓋部が閉じられている場合には上記シート供給部が作動しうるように制御されていることを特徴とする請求項１〜１７のいずれか１項に記載のトイレ装置。
【請求項１９】
上記シート供給部と駆動部は、動作が停止した場合には、動作停止時点の位置から再動作可能に形成されていることを特徴とする請求項１〜１８のいずれか１項に記載のトイレ装置。
【発明の詳細な説明】
【技術分野】
【０００１】
本発明はトイレ装置に係り、特に、筒状のシートを所定寸法毎に溶着して溶断することにより排泄物を収納した排泄物収納袋を形成しうるトイレ装置に関する。
【０００２】
従来、図１４に示すように、便座部２０１と、上記便座部２０１の下方に配置されるトイレ槽２０２と、上記トイレ槽２０２の内周面上に沿って配置しうると共に上記トイレ槽２０２の軸方向長さ寸法より長い軸方向長さにより形成された筒状の樹脂製のシート２０３と、上記シート２０３を送出しうるシート供給部２０４と、図１５に示すように、上記シート２０３を幅方向に沿って溶着した後に溶断することにより排泄物収納袋を作成しうるシート溶着溶断部２０５とを有するトイレ装置２００が提案されている（特許文献１）。
特許文献１には、図１５に示すように、シート溶着溶断部２０５は、第一のヒーター棒２０６と第一のヒーター棒２０６に対向して配置された第二のヒーター棒２０７とを有し、第一のヒーター棒２０６と第一のヒーター棒２０６に対向する第二のヒーター棒２０７とが、ヒーター棒２０６とヒーター棒２０７とに挟み込まれて配置されているシート２０３を介して互いに圧接し、第一のヒーター棒２０６と第二のヒーター棒２０７との間のシート２０３を溶着した後に溶断してシート２０３を所定寸法に裁断して、排泄物を収納したパッケージを形成しうる技術が記載されている。
なお、特許文献１には、シート溶着溶断部２０５にヒーター棒２０６，２０７を使用することは記載されているが、そのヒーター棒２０６，２０７の具体的構成については記載されていない。
しかしながら、溶着時におけるシートの溶着部位のシート溶着溶断部への絡みつきや、離れ難さから起こる不完全な溶着がなされる可能性がある。
また、シートに皺が均等に形成されていない場合には、シートの溶着部位の厚さ寸法が均等でないことから、シートの溶着及び溶断を確実に行うことができない可能性がある。
また、従来、シート溶着溶断部には、シート溶着部位のシート溶着溶断部への絡みつきや離れ難さを排除するためのフッ素樹脂加工が施されたテープが貼付されていたが、テープを介して溶着溶断に必要な高温度が伝達され難いことから、溶着溶断が不完全となる可能性がある。
従って、シート溶着溶断部にテープが貼付されている場合には、溶断溶着が不完全な場合や溶断溶着の使用回数が増加した場合にテープに破断が生じ易いことから、テープの交換のためのメンテナンス作業を必要とするため、メンテナンス作業を軽減できるトイレ装置が要望されている。
【０００３】
【特許文献１】特開２００４−２６１５３０号
【発明の開示】
【発明が解決しようとする課題】
【０００４】
そこで、本願発明の課題は、筒状のシートを溶着した後に溶断することにより排泄物を収納しうる排泄物収納袋を作成する技術において、シートの溶着及び溶断をより確実に行うことにより作成される排泄物収納袋の密閉性を確保して、収納袋からの漏れ出しを確実に防止しうるトイレ装置を提供することにある。
【０００５】
請求項１記載の発明は、人が着座しうる便座部と、上記便座部の下方に配置される筒状体と、上記筒状体の内周面上に沿って配置しうると共に上記筒状体の軸方向長さより長い軸方向長さ寸法により形成された筒状のシートと、上記シートの幅方向端部を夫々保持して上記シートを送出しうるローラ部を備えたシート供給部と、上記シートを所定の長さ寸法において幅方向に沿って溶着した後に長さ方向において溶断することにより排泄物収納袋を作成しうるシート溶着溶断部とを有するトイレ装置であって、上記シート溶着溶断部の上記シートと当接する部位にはフッ素樹脂加工が施されていることを特徴とする。
【０００６】
また、請求項２記載の発明は、上記シート溶着溶断部は、フッ素樹脂コーティング加工が施されたヒートシール端子部と、上記ヒートシール端子部が固定された基部と、上記ヒートシール端子部に対向して配置されると共に上記シートを介して上記ヒートシール端子部に圧接しうる押圧部材とを有することを特徴とする。
【０００７】
従って、請求項１及び２記載の発明にあっては、シート溶着溶断部のシートと当接する部位には、フッ素樹脂加工が施されており、シートが溶断後に溶着溶断部から離れやすいことから、シートの溶着及び溶断をより確実に行うことができ、密閉性の確保された排泄物収納袋を正確かつ迅速に作成することができる。
【０００８】
請求項３記載の発明は、上記シート溶着溶断部は、上記ヒートシール端子部に通電して上記シートを溶断するように構成されていることを特徴とする。
【０００９】
従って、請求項３記載の発明にあっては、上記シート溶着溶断部は、上記ヒートシール端子部に通電して上記シートを溶断するように構成されているので、シートの溶着及び溶断をより確実に行うことができる。
【００１０】
請求項４記載の発明は、上記ヒートシール端子部は全体略板状に形成されると共に、基板部と、上記基板部の幅方向の略中央部に長さ方向に沿って基板突条部とを有し、上記基部は、細長板状に形成され、厚さ方向一側面には上記ヒートシール端子部を収納しうる溝部が設けられ、上記ヒートシール端子部は、上記溝部内において上記基板突条部が上記厚さ方向一側面よりも厚さ方向外方へ突出しうるように固定されていることを特徴とする。
【００１１】
従って、請求項４記載の発明にあっては、上記ヒートシール端子部は全体略板状に形成されると共に、基板部と、上記基板部の幅方向の略中央部に長さ方向に沿って基板突条部とを有し、上記基部は、細長板状に形成され、厚さ方向一側面には上記ヒートシール端子部を収納しうる溝部が設けられ、上記ヒートシール端子部は、上記溝部内において上記基板突条部が上記厚さ方向一側面よりも厚さ方向外方へ突出しうるように固定されているので、上記ヒートシール端子部によりシートが溶着され、シートの溶着後において上記基板突条部によりシートが溶断されて、シートの溶着及び溶断をより確実に行うことができる。
【００１２】
請求項５記載の発明は、上記ヒートシール端子部の基板部の幅方向両端部は、上記反基板突条部方向へ折曲されて形成され、上記ヒートシール端子部が上記溝部内に収納固定された場合には、上記溝部の対向する内側面部と上記基板部の幅方向両端部との間には、夫々、空隙部が形成されていることを特徴とする。
【００１３】
従って、請求項５記載の発明にあっては、上記ヒートシール端子部の基板部の幅方向両端部は、上記反基板突条部方向へ折曲されて形成され、上記ヒートシール端子部が上記溝部内に収納固定された場合には、上記溝部の対向する内側面部と上記基板部の幅方向両端部との間には、夫々、空隙部が形成されており、上記シートの溶着及び溶断時において、溶融した上記シートの液体状のシート樹脂が上記空隙部に滞留して、上記シートの溶着及び溶断される部位において上記シートの幅方向に沿って所定の厚さ寸法を有する溶着壁部が形成されるので、密閉性の確保された排泄物収納袋を作成することができる。  
【００１４】
請求項６記載の発明は、上記筒状体は、截頭円錐台形状であって、下端部側に至るに従って径が小さくなるテーパ状に形成されていることを特徴とする。
【００１５】
従って、請求項６記載の発明にあっては、上記筒状体は、截頭円錐台形状であって、下端部側に至るに従って径が小さくなるテーパ状に形成され、上記シートは、一端部が上記筒状体に挿通されることにより上記筒状体の内周面上に配置されているので、上記シートは、上記筒状体の下端部に至るに従って径方向に縮小され、排泄物収納袋をコンパクトに作成することができる。
【００１６】
請求項７記載の発明は、上記筒状体の内周面には、軸方向に沿って複数の突条部が所定間隔寸法をおいて形成され、上記ローラ部が上記シートの幅方向端部を夫々保持して上記シートを送出する場合には、上記複数の突条部により上記シートがガイドされて送出されうることを特徴とする。
また、請求項８記載の発明は、上記複数の突条部は、上記筒状体の上端部から下端部に亘って形成されていることを特徴とする。
また、請求項９記載の発明は、上記ローラ部は、回転方向において互いに摺接するように一対に配置されたローラにより構成され、上記ローラ部は、ローラ軸方向において所定間隔をおいて互いに対向して配置され、上記筒状体の複数の突条部は、上記対向する各ローラ部の間に配置されていることを特徴とする。
また、請求項１０記載の発明は、上記複数の突条部は、互いに対向して設けられていることを特徴とする。
【００１７】
ここで、テーパ状の筒状体内周面に沿ってシートを配置することからシートには上下方向に沿って皺が発生する。従って、請求項７〜１０記載の発明にあっては、上記筒状体の内周面には、軸方向に沿って複数の突条部が所定間隔寸法おいて形成され、上記ローラ部が上記シートの幅方向端部を夫々保持して上記シートを送出する場合には、上記複数の突条部により上記シートがガイドされて送出されるので、上記複数の突条部により上記シートは、上記ローラ部により下方に引張される場合には、上記筒状体の内周面方向におけるズレが規制されることから、上記シートに形成された皺の均等状態を保持しながら上記シートは上記筒状体の内周面に沿って送出される。
特に、請求項９及び１０記載の発明にあっては、上記ローラ部は、回転方向において互いに摺接するように一対に配置されたローラにより構成され、上記ローラ部は、ローラ軸方向において所定間隔をおいて互いに対向して配置され、上記筒状体の複数の突条部は、上記対向する各ローラ部の間に配置されているので、従来のように上記ローラ部により下方に引き込まれる場合に、上記ローラ部に上記シートが引き込まれた部位にのみ皺が形成され、上記ローラ部以外の部位においては皺の発生が少なく、上記シートの幅方向に沿って皺が均等に形成されないという事態を排除でき、上記シートに形成された皺の略均等状態を保持しながら上記シートは上記筒状体の内周面に沿って送出される。
【００１８】
請求項１１記載の発明は、上記シート溶着溶断部の下方にはシート押さえ部が配設されていることを特徴とする。
従って、請求項１１記載の発明にあっては、上記シート溶着溶断部の下方にはシート押さえ部が配設されているので、排泄物が収納された上記シートが上記シート押さえ部により保持され、且つ、皺が形成された上記シートは上記シート押さえ部により均等に保持されるので、上記シートの溶着及び溶断をより確実に行うことができる。
【００１９】
請求項１２記載の発明は、上記押圧部材は、耐熱性を有する弾性樹脂素材により形成されていることを特徴とする。
従って、請求項１２記載の発明にあっては、上記押圧部材は、耐熱性を有する弾性樹脂素材により形成され、上記ヒートシール端子部と上記押圧部材との圧接状態が良好となるので、シートの溶着及び溶断をより確実に行うことができる。
【００２０】
請求項１３記載の発明は、上記シート溶着溶断部は、上記ヒートシール端子部と上記押圧部材とを駆動しうる駆動部を有することを特徴とする。
従って、請求項１３記載の発明にあっては、上記シート溶着溶断部は、上記ヒートシール端子部と上記押圧部材とを駆動しうる駆動部を有するので、上記ヒートシール端子部と上記押圧部材とにより上記シートを圧接することができる。
【００２１】
請求項１４記載の発明は、上記駆動部は、付勢部材により付勢されることにより、上記ヒートシール端子部と上記押圧部材との衝突時の衝撃を緩和しうると共に上記ヒートシール端子部と上記押圧部材との当接状態を保持しうる押圧力調整部を有することを特徴とする。
従って、請求項１４記載の発明にあっては、上記駆動部は、付勢部材により付勢されることにより、上記ヒートシール端子部と上記押圧部材との衝突時の衝撃を緩和しうると共に上記ヒートシール端子部と上記押圧部材との当接状態を保持しうる押圧力調整部を有するので、衝突時の上記駆動部への機械的負荷による衝撃を緩和して上記ヒートシール端子部と上記押圧部材とを圧接することができ、圧接状態を保持して上記シートを保持することができる。
【００２２】
請求項１５記載の発明は、上記シート供給部には、上記シートが上記シート供給部に巻き込まれることを防止しうる巻き込み防止プレートが設けられていることを特徴とする。
【００２３】
従って、請求項１５記載の発明にあっては、上記シート供給部には、上記シートが上記シート供給部に巻き込まれることを防止しうる巻き込み防止プレートが設けられているので、上記シート供給部への上記シートの巻き込みを防止して上記シートを送出できる。
【００２４】
請求項１６記載の発明は、上記ローラ部による上記シートの保持状態を解放しうる解除部を有することを特徴とする。
従って、請求項１６記載の発明にあっては、上記ローラ部による上記シートの保持状態を解放しうる解除部を有するので、上記シート供給部から上記シートを容易に脱着できる。
【００２５】
請求項１７記載の発明は、上記排泄物収納袋を収納しうると共に収納された上記排泄物収納袋を外部から取り出しうる引出部を有することを特徴とする。
【００２６】
従って、請求項１７記載の発明にあっては、上記排泄物収納袋を収納しうると共に収納された上記排泄物収納袋を外部から取り出しうる引出部を有するので、その都度上記排泄物収納袋を廃棄する必要はなく、上記排泄物収納袋を所定数量貯蔵した状態で一度に廃棄することができる。
【００２７】
請求項１８記載の発明は、上記便座部を開閉しうる蓋部を有し、上記蓋部が開放されている場合には上記シート供給部の作動が停止しうると共に上記蓋部が閉じられている場合には上記シート供給部が作動しうるように制御されていることを特徴とする。
【００２８】
従って、請求項１８記載の発明にあっては、上記便座部を開閉しうる蓋部を有し、上記蓋部が開放されている場合には上記シート供給部が停止しうると共に上記蓋部が閉じられている場合には上記シート供給部が動作しうるように制御されているので、人手が誤って上記筒状体の中に挿入された場合であっても上記動作部は動作しない。
【００２９】
請求項１９記載の発明は、上記シート供給部と駆動部は、動作が停止した場合には、動作停止時点の位置から再動作可能に形成されていることを特徴とする。
従って、請求項１９記載の発明にあっては、上記シート供給部と駆動部は、動作が停止した場合には、動作停止時点の位置から再動作可能に形成されているので、再度最初の状態に戻って動作し始めることが無く、シート供給部による上記シートの余分な送出を防止することができる。
【発明の効果】
【００３０】
請求項１及び２記載の発明に係るトイレ装置にあっては、シート溶着溶断部のシートと当接する部位には、フッ素樹脂加工が施されており、シートの溶着時に高温で溶融した溶着部位が溶着溶断部に絡みつくことなく溶断後に溶着溶断部から離れやすいことから、シートの溶断をより確実に行うことができ、密閉性の確保された排泄物収納袋を作成することができる。その結果、溶着時におけるシートの溶着部位の溶着溶断部への絡みつきや、離れ難さから起こる不完全な溶着を排除することができ、確実に密封された溶着部位を形成することが可能となるため、排泄物収納袋から排泄物の漏れ出しを確実に防止しうるトイレ装置を提供することができる。
また、従来、上記のシート溶着部位の溶着溶断部への絡みつきや離れ難さを排除するためにフッ素樹脂加工が施されたテープを貼付していたが、シート溶着溶断部のシートとの当接部位にはフッ素樹脂加工が施されていることからテープの交換を必要とせず、従来のようにフッ素樹脂加工が施された交換を必要とする消耗頻度が高いテープをシート溶着溶断部に使用する場合に比して、メンテナンス作業を軽減しうるトイレ装置を提供することができる。
【００３１】
請求項３記載の発明に係るトイレ装置にあっては、上記シート溶着溶断部は、上記ヒートシール端子部に通電して上記シートを溶断するように構成されており、シートの溶着及び溶断をより確実に行うことにより密閉性の確保された排泄物収納袋を作成することができるので、排泄物収納袋から排泄物の漏れ出しを確実に防止しうるトイレ装置を提供することができる。
【００３２】
請求項４記載の発明に係るトイレ装置にあっては、上記ヒートシール端子部は全体略板状に形成されると共に、基板部と、上記基板部の幅方向の略中央部に長さ方向に沿って基板突条部とを有し、上記基部は、細長板状に形成され、厚さ方向一側面には上記ヒートシール端子部を収納しうる溝部が設けられ、上記ヒートシール端子部は、上記溝部内において上記基板突条部が上記厚さ方向一側面よりも厚さ方向外方へ突出しうるように固定されていることから、特許文献１に記載されているトイレ装置のように単にヒーター棒間に挟み込むことによりシートを溶着溶断して排泄物収納袋を形成する場合と比して、シートの溶着及び溶断をより確実に行うことができることから、より密閉性の確保された排泄物収納袋を作成することができ、作成した排泄物収納袋から排泄物の漏れ出しを確実に防止しうるトイレ装置を提供することができる。
【００３３】
請求項５記載の発明に係るトイレ装置にあっては、上記ヒートシール端子部の基板部の幅方向両端部は、上記反基板突条部方向へ折曲されて形成され、上記ヒートシール端子部が上記溝部内に収納固定された場合には、上記溝部の対向する内側面部と上記基板部の幅方向両端部との間には、夫々、空隙部が形成されており、上記シートの溶着及び溶断時において、溶融した上記シートの液体状のシート樹脂が上記空隙部に滞留して、上記シートの溶着及び溶断される部位において上記シートの幅方向に沿って所定の厚さ寸法を有する溶着壁部が形成されるので、密閉性の確保された排泄物収納袋を作成することができ、排泄物収納袋から排泄物の漏れ出しを確実に防止しうるトイレ装置を提供することができる。
【００３４】
請求項６記載の発明に係るトイレ装置にあっては、上記筒状体は、截頭円錐台形状であって、下端部側に至るに従って径が小さくなるテーパ状に形成され、上記シートは、一端部が上記筒状体に挿通されることにより上記筒状体の内周面上に配置されることから、上記シートが上記筒状体の下端部に至るに従って径方向に縮小され、排泄物収納袋をコンパクトに作成することができるので、排泄物収納袋の取り扱いが容易なトイレ装置を提供することができる。
【００３５】
請求項７〜１０記載の発明に係るトイレ装置にあっては、上記複数の突条部により上記シートは、上記ローラ部により下方に引張される場合には、上記筒状体の内周面方向におけるズレが規制され、上記シートに形成された皺の均等状態を保持しながら上記シートは上記筒状体の内周面に沿って送出されることから、上記シート溶着溶断部により上記シートの溶着及び溶断をより確実に行うことができ、密閉性の確保された排泄物収納袋を作成することができるので、排泄物収納袋から排泄物の漏れ出しを確実に防止しうるトイレ装置を提供することができる。
特に、請求項９及び１０記載の発明にあっては、従来のように上記一対のローラ部によりシートが下方に引張される場合に、上記一対のローラ部に上記シートが引き込まれることによりローラに引き込まれた部位のみに皺が寄り、一対のローラ部の間に配置されたシートの部位に関しては皺が寄らず、結果的にシートの厚さが部位によって異なり、溶着した場合に部分的に厚い部位と薄い部位とができ、排泄物を収納した場合に薄い部位に関し漏れが生ずる可能性がある、という事態を排除することができる。
即ち、上記シートがローラ部によって下方に引張される場合であっても、一対のローラ部によって引き込まれるシートの部位の間の部位において上記複数の突条部により皺が形成されるため、シートにおいて形成された皺の均等状態を保持しながら上記シートは上記筒状体の内周面に沿って送出されることから、溶着される際のシートの幅方向において略均一に皺を発生させて、皺を含めたシートの厚さを略均一に形成することができることから、上記シート溶着溶断部により上記シートの溶着及び溶断をより確実に行うことができ、密閉性の確保された排泄物収納袋を作成することができるので、排泄物収納袋から排泄物の漏れ出しを確実に防止しうるトイレ装置を提供することができる。
【００３６】
請求項１１記載の発明に係るトイレ装置にあっては、上記シート溶着溶断部の下方にはシート押さえ部が配設されて、排泄物が収納された上記シートが上記シート押さえ部により保持され、且つ、皺が形成された上記シートは上記シート押さえ部により均等に保持され、上記シートの溶着及び溶断をより確実に行うことができ、密閉性の確保された排泄物収納袋を作成することができるので、排泄物収納袋から排泄物の漏れ出しを確実に防止しうるトイレ装置を提供することができる。
【００３７】
請求項１２記載の発明に係るトイレ装置にあっては、上記押圧部材は、耐熱性を有する弾性樹脂素材により形成され、上記ヒートシール端子部と上記押圧部材との圧接状態が良好となり、シートの溶着及び溶断をより確実に行うことができ、密閉性の確保された排泄物収納袋を作成することができるので、排泄物収納袋から排泄物の漏れ出しを確実に防止しうるトイレ装置を提供することができる。
【００３８】
請求項１３記載の発明に係るトイレ装置にあっては、上記シート溶着溶断部は、上記ヒートシール端子部と上記押圧部材とを駆動しうる駆動部を有するので、上記ヒートシール端子部と上記押圧部材とにより上記シートを圧接することができ、シートの溶着及び溶断をより確実に行うことができ、密閉性の確保された排泄物収納袋を作成することができるので、排泄物収納袋から排泄物の漏れ出しを確実に防止しうるトイレ装置を提供することができる。
【００３９】
請求項１４記載の発明に係るトイレ装置にあっては、上記駆動部は、付勢部材により付勢されることにより、上記ヒートシール端子部と上記押圧部材との衝突時の衝撃を緩和しうると共に上記ヒートシール端子部と上記押圧部材との当接状態を保持しうる押圧力調整部を有し、衝突時の上記駆動部への機械的負荷による衝撃を緩和して上記ヒートシール端子部と上記押圧部材とを圧接することができ、圧接状態を保持して上記シートを保持することができるので、圧接時におけるシートの厚さ方向に作用するシートに対しての力を緩和してシート溶着時の破断の事態を回避できると共に圧接状態を保持して確実に排泄物収納袋を密封しうるトイレ装置を提供することができる。
【００４０】
請求項１５記載の発明に係るトイレ装置にあっては、上記シート供給部には、上記シートが上記シート供給部に巻き込まれることを防止しうる巻き込み防止プレートが設けられ、上記シート供給部への上記シートの巻き込みを防止して上記シートを送出できるので、シートの巻き込みによるシートの破断を防止し、確実に排泄物収納袋を密閉しうる信頼性の高いトイレ装置を提供することができる。
【００４１】
請求項１６記載の発明に係るトイレ装置にあっては、上記ローラ部による上記シートの保持状態を解放しうる解除部を有し、上記シート供給部から上記シートを容易に脱着できるので、シート交換時やシート追加時における取り扱いが容易であり、且つ、メンテナンス作業が容易なトイレ装置を提供することができる。
【００４２】
請求項１７記載の発明に係るトイレ装置にあっては、上記排泄物収納袋を所定数量貯蔵した状態で一度に廃棄することができるので、取り扱いが容易なトイレ装置を提供することができる。  
【００４３】
請求項１８記載の発明に係るトイレ装置にあっては、使用者等が誤って手を上記筒状体の中に挿入した場合であっても上記シート供給部は作動しないので、手の巻き込みが防止されるため、使用上の安全性が確保されたトイレ装置を提供することができる。
【００４４】
請求項１９記載の発明に係るトイレ装置にあっては、上記シート供給部と駆動部は、例えば、停電等により、作動が排泄物収納袋の作成途中において停止した場合には、動作停止時点の位置から再動作可能であり、再度最初の状態に戻って動作し始めることが無く、シート供給部による上記シートの余分な送出を防止することができるので、上記シートを無駄にすることがなくコストを低減しうるトイレ装置を提供することができる。
【発明を実施するための最良の形態】
【００４５】
以下、本発明に係るトイレ装置の実施の形態について説明する。
図１に示すように、本発明に係るトイレ装置１０は、人が着座しうる便座部１１と、図３に示すように、上記便座部１１の下方に配置される筒状体１２と、上記筒状体１２の内周面３０上に沿って配置しうると共に上記筒状体１２の軸方向長さより長い軸方向長さ寸法により形成された筒状のシート１３と、上記シート１３の幅方向端部を夫々保持して上記シート１３を送出しうる図５に示すようなローラ部１７を備えたシート供給部１４と、上記シート１３を所定の長さ寸法において幅方向に沿って溶着した後に長さ方向において溶断することにより図８に示すような排泄物収納袋１５を作成しうる図５に示すようなシート溶着溶断部１６とを有するトイレ装置１０であって、図６（ａ）に示すように、上記シート溶着溶断部１６の上記シート１３と当接する部位にはフッ素樹脂加工が施されている。
【００４６】
また、図６（ａ）に示すように、上記シート溶着溶断部１６は、フッ素樹脂コーティング加工が施されたヒートシール端子部１８と、上記ヒートシール端子部１８が固定された基部１９と、図６（ａ）〜（ｃ）に示すように、上記ヒートシール端子部１８に対向して配置されると共に上記シート１３を介して上記ヒートシール端子部１８に圧接しうる押圧部材２１とを有している。
【００４７】
また、図６（ａ）〜（ｃ）に示すような上記シート溶着溶断部１６は、上記ヒートシール端子部１８に通電して上記シート１３を溶断するように構成されている。
また、図６（ａ）〜（ｃ）に示すように、上記ヒートシール端子部１８は全体略板状に形成されると共に、基板部１８ａと、上記基板部１８ａの幅方向の略中央部に長さ方向に沿って基板突条部２２とを有し、上記基部１９は、細長板状に形成され、厚さ方向一側面には上記ヒートシール端子部１８を収納しうる溝部６３が設けられ、上記ヒートシール端子部１８は、上記溝部６３内において上記基板突条部２２が上記厚さ方向一側面よりも厚さ方向外方へ突出しうるように固定されている。
【００４８】
また、図６（ａ）〜（ｃ）に示すように、上記ヒートシール端子部１８の基板部１８ａの幅方向両端部は、上記反基板突条部２２方向へ折曲されて形成され、上記ヒートシール端子部１８が上記溝部６３内に収納固定された場合には、上記溝部６３の対向する内側面部２３ａと上記基板部１８ａの幅方向両端部との間には、夫々、空隙部２４が形成されている。
【００４９】
また、図３に示すように、上記筒状体１２は、截頭円錐台形状であって、下端部２８側に至るに従って径が小さくなるテーパ状に形成されている。
また、図７（ａ）〜（ｂ）に示すように、上記筒状体１２の内周面３０には、軸方向に沿って複数の突条部１２５が所定間隔寸法をおいて形成され、図９に示すような上記ローラ部１７が上記シート１３の幅方向端部を夫々保持して上記シート１３を送出する場合には、上記複数の突条部１２５により上記シート１３がガイドされて送出されうるように形成されている。
また、図７（ａ）〜（ｂ）に示すように、上記複数の突条部１２５は、上記筒状体１２の上端部３１から下端部２８に亘って形成されている。
また、図５及び図９に示すように、上記ローラ部１７，１７は、回転方向において互いに摺接するように一対に配置されたローラ５９ａ，６０ａ又は５９ｂ、６０ｂにより構成され、上記ローラ部１７，１７は、ローラ軸５６ａ，５６ｂ，５８ａ，５８ｂ方向において所定間隔をおいて互いに対向して配置され、上記筒状体１２の複数の突条部１２５は、上記対向する各ローラ部１７，１７の間に配置されている。
また、図９に示すように、上記複数の突条部１２５は、互いに対向して設けられている。
【００５０】
また、図５に示すように、上記シート溶着溶断部１６の下方にはシート押さえ部２５が配設されている。
また、上記押圧部材２１は、耐熱性を有する弾性樹脂素材により形成されている。
また、図９に示すように、上記シート溶着溶断部１６は、上記ヒートシール端子部１８と上記押圧部材２１とを駆動しうる駆動部２０を有している。
また、図９に示すように、上記駆動部２０は、付勢部材２６ａ，２６ｂにより付勢されることにより、上記ヒートシール端子部１８と上記押圧部材２１との圧接時の衝撃を緩和しうる押圧力調整部８５を有している。
また、図９に示すように、上記シート供給部１４には、上記シート１３が上記シート供給部１４に巻き込まれることを防止しうる巻き込み防止プレート２７ａ，２７ｂが設けられている。
【００５１】
また、図３に示すように、上記筒状体１２は、下端部２８側に至るに従って径が小さくなるテーパ状に形成され、上記シート１３は、一端部２９が上記筒状体１２に挿通されることにより上記筒状体１２の内周面３０上に配置され、上記筒状体１２の上端部３１で折り返されることにより図５に示すように上記筒状体１２の外周面３２に沿って配置されると共に折り畳まれている。
また、図５に示すような上記ローラ部１７による上記シート１３の保持状態を解放しうる図４に示すような解除部３３を有している。
【００５２】
また、図１に示すように、上記便座部１１を開閉しうる蓋部３５を有し、上記蓋部３５が開放されている場合には図５に示すような上記シート供給部１４の作動が停止しうると共に上記蓋部３５が閉じられている場合には上記シート供給部１４が作動しうるように制御されている。
また、図２に示すように、上記排泄物収納袋１５を収納しうると共に収納された上記排泄物収納袋１５を外部から取り出しうる引出部３４を有している。
また、図９に示す上記シート供給部１４と駆動部２０は、動作が停止した場合には、動作停止時点の位置から再動作可能に形成されている。
【実施例】
【００５３】
以下に、図面を用いて本実施例について、詳細を説明する。
図１に示すように、本発明に係るトイレ装置１０は、人が着座しうる便座部１１と、上記便座部１１の開口部３６を開閉しうる蓋部３５と、上記便座部１１の幅方向両端には上記便座部１１に人が着座した場合に肘を掛けうると共に上方向に回動して開閉しうる一対の肘掛け部３７，３７と、上記便座部１１の下方に配置されるトイレ本体部３８と、上記トイレ本体部３８の後部下端に配置される一対の車輪部３９と、上記トイレ本体３８の前部下端に配置されると共に床面を圧接しうる一対の脚部４０，４０と、本発明に係るトイレ装置１０を移動させる場合に把持しうる一対の把持バー１２３，１２３と、図２に示すように、上記トイレ本体３８の下方に配置され、上記収納袋１５を収納しうると共に収納された排泄物収納袋１５を上記トイレ装置１０の背面側から取り出しうる引出部３４とにより構成されている。
また、図１に示すように、上記トイレ本体部３８の一方の側面部４１の後部には主電源スイッチ４２が設けられ、前方には動作状態を報知しうるＬＥＤランプ４３が内装された始動スイッチ４４が設けられている。
また、上記蓋部３５の裏面下端部には、上記蓋部３５が閉じられた場合に上記便座部１１の表面と当接してオン状態になりうる蓋スイッチ４５が設けられている。
【００５４】
また、図３に示すように、上記トイレ本体部３８の内部であって上記便座部１１の下方には、下端部２８側に至るに従って径が小さくなるテーパ状に形成された合成樹脂材料からなる円筒状の筒状体１２が配置され、上記筒状体１２の下端部２８がベース板１１９の開口部４７を貫通するように載置される形で上記筒状体１２は上記ベース板１１９に固定されている。
また、図７（ａ）〜（ｃ）に示すように、上記筒状体１２は、下端部２８側に至るに従って径が小さくなるテーパ状に形成され、上記筒状体１２の上端部３１が略３００ｍｍの直径寸法で形成されると共に下端部２８が略１３７ｍｍの直径寸法で形成されている。
即ち、上記筒状体１２の上端部３１は周長さ寸法が全周略９４０ｍｍに形成されていると共に下端部２８は周長さ寸法が全周略４３０ｍｍに形成されている。
【００５５】
また、図７（ａ）及び（ｂ）に示すように、上記筒状体１２の上記筒状体１２の内周面３０には、軸方向に沿って１０本の細幅状の突条部１２５が所定間隔寸法をおいて形成されている。
また、上記１０本の突条部１２５は、上記筒状体１２の上端部３１から下端部２８に亘って直線状に形成されると共に上記筒状体１２の径方向Ｂに沿って夫々５本ずつ互いに対向するように形成されている。
また、図５及び図９に示すように、上記ローラ部１７，１７は、回転方向において互いに摺接するように一対に配置されたローラ５９ａ，６０ａ又は５９ｂ、６０ｂにより構成され、上記ローラ部１７，１７は、ローラ軸５６ａ，５６ｂ，５８ａ，５８ｂ方向において所定間隔をおいて互いに対向して配置され、上記筒状体１２の１０本の突条部１２５は、上記対向する各ローラ部１７，１７の間に配置されている。
また、上記１０本の突条部１２５を有する筒状体１２は、図９に示すような一対のローラ部１７，１７が上記シート１３の幅方向端部を夫々保持して上記シート１３を送出する場合には、上記シート１３が上記ローラ部１７により上記シート１３の幅方向端部を夫々保持されて上記筒状体１２の内周面３０上に配置された場合に、上記突条部１２５が所定間隔寸法をおいて５本形成された上記突条部１２５が上記シート１３を挟んで対向し、上記ローラ部１７，１７とは、上下方向において重複しない位置に配置されるように配設されている。
【００５６】
また、図３に示すように、筒状体１２には、上記筒状体１２の軸方向長さ寸法より長い軸方向長さにより形成された筒状のシート１３が内周面３０上に沿って配置されている。
また、上記筒状のシート１３は、樹脂材料からなると共にフィルム状に形成され、開口部６１の周長さ寸法が全周略１０２０ｍｍに形成されると共に長さ寸法が略１５ｍに形成されている。
また、図３に示すように、上記シート１３は、開口部６１の周長さ寸法の全周略１０２０ｍｍが上記筒状体１２の上端部３１の周長さ寸法の全周略９４０ｍｍより長く形成され、一端部２９が上記筒状体１２の開口部４８に挿通されることにより上記筒状体１２の内周面３０上に配置され、図５に示すように、上記筒状体１２の上端部３１で外側に折り返されることにより上記筒状体１２の外周面３２に沿って配置されると共に折り畳まれている。
【００５７】
また、図５に示すように、上記ベース板１１９の裏面には上記ベース板１１９と同径の開口部を有する長方形状の薄板により形成された保持板４６が取り付けられ、上記保持板４６の下方には、上記シート１３の幅方向端部を夫々保持して上記シート１３を送出しうるローラ部１７を備えたシート供給部１４と、上記シート１３を所定の長さ寸法において幅方向に沿って溶着した後に長さ方向において溶断することにより排泄物収納袋１５を作成しうるシート溶着溶断部１６とを有している。
【００５８】
また、図９に示すように、上記シート供給部１４は、上記保持板４６の下方の上記開口部４７近傍に上記ローラ部１７を備え、上記ローラ部１７は、円板状に形成された第一のローラ５９ａ，５９ｂと、第二のローラ６０ａ，６０ｂにより構成され、上記保持板４６の長さ方向に沿うと共に保持板４６の開口部４７の外周縁に径方向に沿って一方の第一のローラ５９ａと他方の第一のローラ５９ｂが対向するように一対設けられ、同様に、一方の第二のローラ６０ａと他方の第二のローラ６０ｂが対向するように一対設けられている。
また、一方の第一のローラ５９ａと一方の第二のローラ６０ａの外周側面とが当接すると共に他方の第一のローラ５９ｂと他方の第二のローラ６０ｂの外周側面とが当接するように配置されており、上記シート１３の一方の幅方向端部を一方の第一のローラ５９ａと一方の第二のローラ６０ａとの間に挟み込み、他方の幅方向端部を他方の第一のローラ５９ｂと他方の第二のローラ６０ｂとの間に挟み込むことにより、上記シート１３の幅方向両端部を夫々保持して下方へ送出しうるように構成されている。
【００５９】
また、上記シート供給部１４は、上記保持板４６の長さ方向一端部に固定されたフィルム送りモータ４９と、上記フィルム送りモータ４９のシャフト５０の先端部に固定されたモータギア５１と、上記モータギア５１に歯合する駆動ギア５３と、上記駆動ギア５３の中心軸を構成すると共に上記保持板４６の幅方向に沿って設けられた駆動軸５２と、上記駆動軸５２の長さ方向両端部に固定された一対のローラギア５４ａ，５４ｂと、上記ローラギア５４ａ，５４ｂの夫々に歯合された一対の第一の伝達ギア５５ａ、５５ｂと、上記第一の伝達ギア５５ａ、５５ｂの夫々の中心軸を構成する一対の第一のローラ軸５６ａ，５６ｂと、上記第一のローラ軸５６ａ，５６ｂの内端部に固定された一対の上記ローラ部１７の第一のローラ５９ａ，５９ｂと、上記第一の伝達ギア５５ａ，５５ｂの夫々に歯合された第二の伝達ギア５７ａ，５７ｂと、上記第二の伝達ギア５７ａ，５７ｂの夫々の中心軸を構成する第二のローラ軸５８ａ，５８ｂと、上記第二のローラ軸５８ａ，５８ｂの内端部に固定された一対の第二のローラ６０ａ，６０ｂにより構成されている。
【００６０】
また、図９及び１０に示すように、上記保持板４６の幅方向両端部には上記保持板４６の長さ方向に亘って夫々板状フレーム６２ａ，６２ｂが下方に向って立設され、上記駆動軸５２の両端部は夫々上記板状フレーム６２ａ，６２ｂに回動可能に取り付けられている。
また、上記第一のローラ軸５６ａ，５６ｂ及び上記第二のローラ軸５８ａ，５８ｂの外端部は上記板状フレーム６２ａ，６２ｂに回動可能に取り付けられていると共に上記保持板４６の幅方向に沿って上記保持板４６の幅方向端部から上記保持板４６の開口部４７の外周縁に亘って配置されている。
また、一方の上記ローラギア５４ａと一方の第一の伝達ギア５５ａと一方の第二の伝達ギア５７ａは、上記開口部４７の近傍に上記保持板４６の長さ方向に沿って一直線上に設けられ、同様に、他方の上記ローラギア５４ｂと他方の第一の伝達ギア５５ｂと他方の第二の伝達ギア５７ｂは、上記開口部４７の近傍に上記保持板４６の長さ方向に沿って一直線上に設けられ、互いに上記開口部４７を挟んで対向するように配置されている。
【００６１】
また、図９及び図１０に示すように、上記ローラ部１７に保持される上記シート１３の端部が上記第一の伝達ギア５５ａ，５５ｂと上記第二の伝達ギア５７ａ，５７ｂに巻き込まれることを防止しうる巻き込み防止プレート２７ａ，２７ｂが設けられている。
また、一方の上記巻き込み防止プレート２７ａは、上記一方の第一のローラ５９ａの外周側面と一方の第二のローラ６０ａの外周側面との当接部分と、上記一方の第一の伝達ギア５５ａと一方の第二の伝達ギア５７ａとの歯合部分との間であって、上記保持板４６から上記一方の第一の伝達ギア５５ａと一方の第二の伝達ギア５７ａとの歯合部分をガードしうる所定の高さ寸法を有して下方に向って立設されている。
また、同様に、巻き込み防止プレート２７ｂは、上記一方の第一のローラ５９ｂと一方の第二のローラ６０ｂとの当接部分と、上記一方の第一の伝達ギア５５ｂと一方の第二の伝達ギア５７ｂとの歯合部分との間であって、上記保持板４６から上記一方の第一の伝達ギア５５ｂと一方の第二の伝達ギア５７ｂとの歯合部分をガードしうる所定の高さ寸法を有して下方に向って固定されている。
また、上記巻き込み防止プレート２７ａ，２７ｂは上記保持板４６に沿って配置されると共に上記開口部４７を挟んで対向するように配置され、一方の巻き込み防止プレート２７ａと他方の巻き込み防止プレート２７ｂとの間の距離寸法が略１４０ｍｍになるように配置されている。
【００６２】
また、図６（ａ）に示すように、上記シート溶着溶断部１６は、ニッケルクロム材質からなると共に表面にフッ素樹脂コーティング加工が施された全体略板状のヒートシール端子部１８と、上記ヒートシール端子部１８と略同一の長さ寸法からなる細長板状に形成されると共に厚さ方向一側面に上記ヒートシール端子部１８を収納しうる溝部６３が形成されたコ字状のシリコンゴムからなる基部１９と、図９に示すように、上記ヒートシール端子部１８を駆動しうる駆動部２０と、図６（ｂ）に示すように、上記ヒートシール端子部１８に対向して配置されると共に上記シート１３を介して上記駆動部２０の動作と連動して上記ヒートシール端子部１８に圧接しうる上記ヒートシール端子部１８の略同一の長さ寸法からなり、細長板状のシリコンゴム材に発泡剤が配合された弾性力を有する押圧部材２１とにより構成されている。
【００６３】
また、図６（ａ）に示すように、上記ヒートシール端子部１８は、基板部１８ａと、上記基板部１８ａの幅方向の略中央部に長さ方向に沿って形成された基板突条部２２とを有し、上記基板部１８ａの幅方向両端部には、上記反基板突条部２２方向へ折曲されることにより、上記基板部１８ａの幅方向の略中央部から幅方向端部に亘って反基板突条部２２方向に緩やかに傾斜する傾斜面２２ａが形成されている。
また、上記ヒートシール端子部１８は、上記基部１９の壁部２３，２３により形成された溝部６３内に収納固定され、上記壁部２３，２３の内側壁部を形成する上記溝部６３の対向する内側面部２３ａ，２３ａの厚さ方向内端部が上記ヒートシール端子部１８の幅方向両端部に接している。
また、上記基部１９の溝部６３内に上記ヒートシール端子部１８が収納固定された場合に、上記基部１９の壁部２３，２３の厚さ寸法ｌは、上記ヒートシール端子部１８の基板突条部２２を含めた高さ寸法ｌ１よりも小さく形成され、図６（ｂ）に示すように、上記シートシール端子部１８は、上記溝部６３内において上記基板突条部２２が厚さ方向―側面よりも厚さ方向外方へ突出しうるように固定されている。
また、上記ヒートシール端子部１８が上記溝部６３内に収納固定された場合には、上記溝部６３の対向する内側面部２３ａ，２３ａと上記基板部１８ａの幅方向両端部との間には、夫々、空隙部２４，２４が形成されている。
また、図６（ａ）及び（ｂ）に示すように、上記シート溶着溶断部１６により上記シート１３を溶着及び溶断する場合には、上記ヒートシール端子部１８に上記シート１３を介して上記押圧部材２１が圧接され、空隙部２４，２４と上記押圧部材２１との間には、上記シート１３の溶融した上記シート１３の液体状のシート樹脂が上記空隙部２４，２４に滞留して、上記シート１３には上記シート１３が溶着される部位に溶着壁部１２４，１２４が形成され、図６（ｃ）に示すように、上記シート１３は上記基板突条部２２で溶断され分離する。
【００６４】
また、図９及び図１０に示すように、上記駆動部２０は、上記ヒートシール端子部１８が収納固定された上記基部１９が幅方向一端部に固定されると共に上記保持板４６の長さ方向にスライドしうる一方のスライドバー６４ａと、上記押圧部材２１が幅方向一端部に固定されると共に上記ヒートシール端子部１８に上記押圧部材２１が圧接するように上記保持板４６の長さ方向にスライドしうる他方のスライドバー６４ｂと、上記保持板４６の他端部に固定された上記スライドバー６４ａ，６４ｂを駆動させうるスライドバー駆動用モータ６５と、上記スライドバー駆動用モータ６５の動作を伝達しうる伝達部６６とにより構成されている。
【００６５】
また、図９に示すように、上記スライドバー６４ａ，６４ｂは、上記保持板４６の幅方向長さ寸法と略同一の長さ寸法を有する板状の細長直方体形状に形成され、上記保持板４６の幅方向に沿って配置され、図１０に示すように、長さ方向両端部に設けられたスライド保持部１１０ａ，１１０ａ，１１０ｂ，１１０ｂにより上記板状フレーム６２ａ，６２ｂの下端部にスライド可能に取り付けられている。
また、図９及び図１０に示すように、上記ヒートシール端子部１８が収納固定された上記基部１９が上記一方のスライドバー６４ａの幅方向の内側側面の下端部に長さ方向に沿って固定され、上記他方のスライドバー６４ｂの幅方向の内側側面の下端部に上記押圧部材２１が上記ヒートシール端子部１８と対向するように他方のスライドバー６４ｂの長さ方向に沿って固定されている。
また、図９に示すように、上記一方のスライドバー６４ａの長さ方向両端部には、上記ヒートシール端子部１８の長さ方向両端部に大電流を供給しうる電流供給端子７８ａ，７８ｂが固定され、長さ方向一端部には、上記ヒートシール端子部１８の一端部に接続された温度検知部７９が取り付けられている。
また、上記一方のスライドバー６４ａの長さ方向中央部には、温度ヒューズ部１２２が設けられている。
【００６６】
また、図９及び図１０に示すように、上記伝達部６６は、上記保持板４６の長さ方向他端部に固定されたスライドバー駆動用モータ６５と、上記スライドバー駆動用モータ６５の駆動シャフト６７の先端に固定されたモータギア６８と、上記モータギア６８に歯合する駆動ギア６９と、上記駆動ギア６９の中心軸を構成すると共に上記保持板４６の幅方向に亘って設けられた駆動軸７０と、図１０に示すように、上記駆動軸７０の長さ方向両端部に固定されると共に上記保持板４６の幅方向端部の夫々に配置される回転ホイール７１ａ，７１ｂと、上記回転ホイール７１ａ，７１ｂの回転動作を直線動作に変換しうる短アーム７２ａ，７２ｂ、及び長アーム７３ａ，７３ｂとにより構成されている。
また、上記駆動軸７０の長さ方向両端部は、図９に示すように、上記板状フレーム６２ａ，６２ｂの夫々に回動可能に挿通され、上記板状フレーム６２ａ，６２ｂの外方に突出した上記駆動軸７０の長さ方向の最端部には、円板状の回転ホイール７１ａ，７１ｂの中心部が回動しうるように取り付けられることにより、上記回転ホイール７１ａ，７１ｂが上記駆動軸７０の回転動作に連動するように構成されている。
【００６７】
また、図９及び図１０に示すように、上記短アーム７２ａ，７２ｂ及び上記長アーム７３ａ，７３ｂは、薄板状に形成されると共に細幅状に形成され、両端部の夫々が幅方向の一方側に折曲している。
また、図９に示すように、上記短アーム７２ａ，７２ｂ及び上記長アーム７３ａ，７３ｂは、上記板状フレーム６２ａ，６２ｂの外側に配置され、図１０に示すように、上記短アーム７２ａ，７２ｂの一端部は上記回転ホイール７１ａ，７１ｂの一方の外周端部７４ａ，７４ｂに回動可能に取り付けられると共に他端部は上記スライドバー６４ｂの側面に設けられた取付部７５ａ，７５ｂに回動可能に取り付けられ、上記長アーム７２ａ，７２ｂの一端部は上記回転ホイール７１ａ，７１ｂの上記一方の外周縁７４ａ，７４ｂと径方向反対側の他方の外周端部７６ａ，７６ｂに回動可能に取り付けられると共に他端部は上記スライドバー６４ｂの側面に設けられた取付部７７ａ，７７ｂに回動可能に取り付けられ、スライドバー駆動用モータ６５の駆動により上記回転ホイール７１ａ，７１ｂを介して上記スライドバー６４ａ，６４ｂを駆動させるように構成されている。
【００６８】
また、図１０に示すように、上記シート溶着溶断部１６及び押圧部材２１の下方には、上記保持板４６の幅方向に沿ってシート押さえ部２５が設けられ、上記シート押さえ部２５は、夫々、細長板状に形成された、押さえ片部８０ａと、押さえ片部８０ｂとが上記保持板４６の幅方向に沿って配置され、上記押さえ片部８０ａと上記押さえ片部８０ｂとが動作して、上記ヒートシール端子部１８が上記押圧部材２１に圧接される前に、押さえ片部８０ａと押さえ片部８０ｂの裏面に取り付けられたコイルスプリング８１ａ，８１ａ及びコイルスプリング８１ｂ，８１ｂの付勢力に抗して圧接されることにより、上記シート溶着溶断部１６の下方で上記シート１３を圧接して保持するように構成されている。
また、図９及び図１０に示すように、上記押さえ片部８０ａ，８０ｂには、上記押さえ片部８０ａ，８０ｂの夫々の表面にシート押さえゴム（図示せず）が固定されると共に長さ方向両端部の後方において直交するようにスライド棒８４ａ，８４ａ，８４ｂ，８４ｂが固定されている。
また、一方の上記押さえ片部８０ａは、上記ヒートシール端子部１８の下方に上記保持板４６の幅方向に沿って平行に配置され、上記押さえ片部８０ａと上記押さえ片部８０ｂとが当接する前は上記ヒートシール端子部１８に対して保持板４６の長さ方向中央寄りに配置されている。
【００６９】
また、他方の上記押さえ片部８０ｂは、上記押圧部材２１の下方に上記保持板４６の幅方向に沿って上記押圧部材２１と平行に配置され、上記押さえ片部８０ａと上記押さえ片部８０ｂとが当接する前は上記押圧部材２１に対して長さ方向中央部寄りに配置されている。
また、図９に示すように、上記スライド棒８４ａ，８４ａ，８４ｂ，８４ｂは、夫々、コイルスプリング８１ａ，８１ａ，８１ｂ，８１ｂに挿通され、上記スライドバー６４ａ，６４ｂの下部に固定されている固定片８２ａ，８２ａ，８２ｂ，８２ｂの挿通孔にスライド可能に夫々挿通され、上記スライド棒８４ａ，８４ａ，８４ｂ，８４ｂの他端部は、夫々、係止片８３ａ，８３ａ，８３ｂ，８３ｂにより係止され、上記押さえ片部８０ａ，８０ｂの裏面部と上記固定片８２ａ，８２ａ，８２ｂ，８２ｂの押さえ片部８０ａ，８０ｂ側との間に上記コイルスプリング８１ａ，８１ａ，８１ｂ，８１ｂが配設されている。
【００７０】
また、図９及び図１０に示すように、上記駆動部２０は、上記スライドバー６４ａに設けられ、付勢部材２６ａ，２６ｂにより付勢されることにより、上記ヒートシール端子部１８と上記押圧部材２１との圧接時の衝撃を緩和しうる押圧力調整部８５を有している。
また、図１３に示すように、上記押圧力調整部８５は、上記スライドバー６４ａの長さ方向両端部から夫々上記スライドバー６４ａの長さ方向寸法の略４分の１の長さ寸法内方に長さ方向中央に対して対称に設けられると共に幅方向に沿って設けられている。
また、上記押圧力調整部８５は、上記スライドバー６４ａの幅方向両側面を貫通するように円柱状に形成された取付孔８６，８６と、上記取付孔８６，８６に挿通しうる頭部９１，９１を有する棒軸部８７，８７と、上記棒軸部８７，８７を挿通しうる円筒状の挿通管８８，８８と、上記挿通管８８，８８を挿通しうる付勢部材としてのコイルスプリング２６ａ，２６ｂと、上記棒状部材８７，８７を挿通しうると共に上記コイルスプリング２６ａ，２６ｂの一端部及び上記挿通管８８，８８の長さ方向一端部を係止しうる圧接ワッシャー８９，８９と、上記棒状部材８７，８７の先端部９８を固定するナット９０，９０とにより構成されている。
【００７１】
また、上記取付孔８６，８６は、図１０に示すように、上記スライドバー６４ａに取り付けられた上記基部１９の上方近傍において、上記スライドバー６４ａの幅方向両側面を貫通するように形成され、図１３に示すように、上記基部１９側端部に形成された上記棒状部材８７，８７の頭部９１，９１の径より大きい径寸法を有する短筒部９２，９２と、上記棒状部材８７，８７の軸部９９，９９の径寸法より大きく上記頭部９１，９１の径寸法より小さい径寸法を有すると共に上記付勢部材２６ａ，２６ｂ及び上記挿通管８８，８８の径寸法より小さい径寸法を有する上記短筒部９２，９２に連設された小径筒部９３，９３と、上記挿通管８８が挿通された上記コイルスプリング２６ａ，２６ｂを挿入しうる上記小径筒部９３，９３より大きい径寸法からなる、上記小径筒部９３，９３に連設された大径筒部９４，９４とにより形成されている。
また、上記短筒部９２，９２の上記小径筒部９３，９３側の端部には、環状の段差面９５，９５が形成され、上記段差面９５，９５は、上記棒状部材８７，８７の頭部９１，９１の下端部９７，９７を係止しうるように形成されている。
また、上記大径筒部９４，９４の上記小径筒部９３，９３側の端部には、環状の段差面９６，９６が形成され、上記段差面９６，９６は、上記挿通管８８，８８の端部を係止しうると共に、上記挿通管８８にコイルスプリング２６ａ，２６ｂが挿通され圧接ワッシャー８９，ナット９０により上記挿通管８８が固定された場合には、上記コイルスプリング２６ａ，２６ｂの端部が圧接しうるように形成されている。
【００７２】
また、本発明に係るトイレ装置１０は、図５に示すような上記ローラ部１４により保持された上記シート１３の保持状態を解放しうる図４に示すような解除部３３を有する。
また、図４に示すように、上記解除部３３は、上記便座部１１の下方であって上記シート１３が装着された筒状体１２の近傍に上記ベース板１１９に形成されたスライド溝孔１０１にスライド可能に挿通されたレバー部１００と、図９に示すように、一端部が上記レバー部１００の下端部に固定されると共に上記保持板４６の幅方向に沿って配置される操作アーム１０２と、上記操作アーム１０２の他端部が回動可能に軸支される支軸部１０３と、図９に示すような上記操作アーム１０２の下方近傍に配置されると共に上記板状フレーム６２ａ，６２ｂに両端部がスライド可能に取り付けられたスライド軸部１０４と、上記スライド軸部１０４の一方の端部に一端部が固定されると共に上記第二のローラ軸５８ａに他端部が固定された一方の固定板１０５ａと、上記スライド軸部１０４の他方の端部に一端部が固定されると共に上記第二のローラ軸５８ｂに他端部が固定された他方の固定板１０５ｂとにより構成されている。
また、図９に示すように、上記操作アーム１０２の略中央部には上記スライド軸部１０４に当接することにより上記スライド軸部１０４をスライドさせうる係止板１０６が設けられている。
【００７３】
また、図１０及び図１２に示すように、上記板状フレーム６２ａ，６２ｂには、上記スライド軸部１０４の両端部をスライド可能に取り付けしうる第一のスライド孔部１０７，１０７が夫々設けられ、上位第二のローラ軸５８ａ，５８ｂの外端部をスライド可能に取り付けうる第二のスライド孔部１０８，１０８が設けられ、上記スライド軸部１０４の両端部及び上記第二のローラ軸５８ａ，５８ｂの外端部を上記板状フレーム６２ａ，６２ｂに挿通させ、図９に示すように、上記固定板１０５ａ，１０５ｂにより上記スライド軸１０４の端部と上記第二のローラ軸５８ａ，５８ｂの外端部とを夫々上記板状フレーム６２ａ，６２ｂの外方で固定することにより、上記レバー部１００の操作で上記操作アーム１０２の係止板１０６を上記スライド軸１０４に当接させることによりスライドさせ、上記スライド軸部１０４と上記第二のローラ軸５８ａ，５８ｂを一体としてスライドさせることにより、上記第二のローラ６０ａ，６０ｂをスライドさせて上記第一のローラ５９ａ，５９ｂから離間させるように構成されている。
また、図９及び図１０に示すように、上記固定板１０５ａ，１０５ｂの他端部が固定された上記第二のローラ軸５８ａ，５８ｂの外端部には、付勢部材１０９，１０９の一端部が固定され、上記第一のローラ軸５６ａ，５６ｂの外端部には、上記付勢部材１０９，１０９の他端部が固定されることにより、上記第二のローラ６０ａ，６０ｂが上記第一のローラ５９ａ，５９ｂ側に圧接するように上記付勢部材１０９，１０９により付勢されている。
また、図９に示すように、スライド溝孔１０１にスライド可能に挿通されたレバー部１００を上記付勢部材１０９，１０９の付勢力に抗してスライドさせた場合に上記レバー部１００を係止固定しうるように折曲した溝部を有する係止溝１２０が上記スライド溝孔１０１に連設されている。
また、図１１に示すように、上記操作アーム１０２は、上記付勢部材１０９，１０９の付勢力より弱い付勢力を有する上記操作アーム１０２の動作を係止しうる付勢部材１２１により、スライド溝孔１０１の反係止溝１２０側の端部側に付勢されている。
【００７４】
また、図１０に示すように、上記一方の板状フレーム６２ａの長さ方向一端部の外側面には、上記スライドバー６４ａが動作開始位置にある場合に、上記スライドバー６４ａのスライド保持部１１０ａの上端部１１１ａに当接してオン状態になりうるリミットスイッチ１１２が固定され、長さ方向略中央の外側面の略中央部には、上記ヒートシール端子部１６が上記押圧部材２１に圧接された場合に上記スライドバー６４ａのスライド保持部１１０ｂの上端部１１１ｂに当接してオン状態になりうるリミットスイッチ１１３が固定されている。
【００７５】
また、図１０に示すように、上記制御部１１４は、上記保持板４６の長さ方向の一方の端部に壁部１１８ａが形成されると共に上記ベース板１１９の裏面側に固定されたＬ字状のシャーシ板１１８と、図９に示すように、上記シャーシ板１１８の壁部１１８ａの長さ方向の一方の端部上に固定された上記ヒートシール端子部１８への電流供給用トランス１１５と、他方の端部上に固定されたヒートシール端子部１８以外の電源として使用する電源へ変圧するトランス１１６と、上記シャーシ板１１８の上記壁部１１８ａの長さ方向の略中央部に固定された制御基板部１１７とにより構成されている。
【００７６】
以下に、上記実施例の作用について説明する。
図５に示すように、トイレ装置１０を使用して、筒状のシート１３を溶着した後に溶断することにより排泄物Ａを収納しうる排泄物収納袋１５を作成する方法を説明する。
本発明に係るトイレ装置１０を使用しうる状態である場合、即ち、図３に示すように、シート１３をトイレ装置１０に装着し、一度作動させて上記シート１３の一端部２９を溶着した後には、図９及び図１０に示すように、上記シート１３の幅方向の一方の端部は、一方の上記第一のローラ５９ａと上記一方の上記第二のローラ６０ａの外周側面に当接して保持され、他方の端部は、他方の上記第一のローラ５９ｂと他方の上記第二のローラ６０ｂの外周側面に当接して保持されている。
なお、上記シート１３をトイレ装置１０に装着する方法については後述する。
【００７７】
まず、図１に示すように、蓋部３５を上方へ回動させることにより、便座部１１を人が着座しうる状態に開放する。
この場合、蓋部３５の裏面下端部には、上記蓋部３５が閉じられた場合に上記便座部１１の表面部に当接してオン状態になる蓋スイッチ４５が設けられ、制御部１１４により制御され、人の手が誤って上記筒状体１２の中に挿入された場合であっても、上記蓋部３５が開いている場合、即ち、上記蓋スイッチ４５がオフ状態の場合には、上記シート供給部１４は動作しないように制御されており、使用者の安全性を確保することができるように構成されている。
【００７８】
次に、使用者が図１に示すような上記便座部１１に着座し、排泄を行った場合には、排泄物及び使用済みペーパーが、便座部１１の開口部３６から落下して、図３に示すような筒状体１２の内周面上を介して一端部２９が溶着された筒状のシート１３の内部に収納される。
その後、使用者が上記便座部１１から立ち上がり、図１に示すように、蓋部３５を閉じた場合には、上記蓋スイッチ４５がオン状態になり、図５に示すような排泄物Ａを収納した排泄物収納袋１５を作成しうる状態へ移行する。
次に、図１に示すように、トイレ本体３８の一方の側面部４１の後部に設けられている主電源スイッチ４２をオン状態にし、その後、トイレ本体３８の一方の側面部４１に設けられている始動スイッチ４４を押圧する。
【００７９】
図１に示すような上記始動スイッチ４４が押圧された場合には、図５及び図９に示すように、上記シート１３を挟持している一方の上記第一のローラａと一方の上記第二のローラ６０ａ、及び他方の上記第一のローラ５９ｂと他方の上記第二のローラ６０ｂとが連動して回動することにより、上記シート１３の一方の幅方向端部は一方の第一のローラ５９ａと一方の第二のローラ６０ａとの間、及び他方の幅方向端部は他方の第一のローラ５９ｂと他方の第二のローラ６０ｂとの間に挟み込まれ、制御部１１４により制御されて上記ローラ部１７は上記シート１３の幅方向両端部を夫々保持して下方へ送出する。
【００８０】
この場合、図９に示すように、上記ローラ部１７は、シート供給部１４により駆動され、上記シート供給部１４は、上記始動スイッチ４４が押圧された場合に、制御基板１１７からの命令によりフィルム送りモータ４９を駆動させ、上記フィルム送りモータ４９のシャフト５０を回動させることにより、上記シャフト５０の先端に固定されたモータギア５１を回動させる。
そして、上記モータギア５１が回動することにより、上記モータギア５１に歯合された駆動ギア５３が回動し、上記駆動ギア５３は、上記駆動ギア５３が固定された駆動軸５２と共に回動する。
そして、上記駆動軸５２の長さ方向両端部に固定されたローラギア５４ａ，５４ｂが連動して回動する。
そして、一方のローラギア５４ａは、上記ローラギア５４ａに歯合された第一の伝達ギア５５ａと、上記第一の伝達ギア５５ａに歯合された第二の伝達ギア５７ａと連動して回動し、上記第一の伝達ギア５５ａと上記第二の伝達ギア５７ａが回動することにより、上記第一の伝達ギア５５ａが固定された第一のローラ軸５６ａを介して一方の第一のローラ５９ａが連動して回動し、上記第二の伝達ギア５７ａが固定された第二のローラ軸５８ａを介して一方の第二のローラ６０ａが連動して回動する。
同様に、他方のローラギア５４ｂは、上記ローギア５４ｂに歯合された第一の伝達ギア５５ｂと、上記第一の伝達ギア５５ｂに歯合された第二の伝達ギア５７ｂと連動して回動し、上記第一の伝達ギア５５ｂと上記第二の伝達ギア５７ｂが回動することにより、上記第一の伝達ギア５５ｂが固定された第一のローラ軸５６ｂを介して一方の第一のローラ５９ｂが連動して回動し、上記第二の伝達ギア５７ｂが固定された第二のローラ軸５８ｂを介して一方の第二のローラ６０ｂが連動して回動する。
【００８１】
従って、上記フィルム送りモータ４９の駆動により各ギア部５１，５３，５４ａ，５４ｂ，５５ａ，５５ｂ，５７ｂ，５７ｂ及び各軸部５０，５２，５６ａ，５６ｂ，５８ａ，５８ｂが連動して駆動することにより、上記一方の第一のローラ５９ａと上記一方の上記第二のローラ６０ａ、上記他方の第一のローラ５９ｂと上記他方の第二のローラ６０ｂとが全て連動して回動するので、上記シート１３を安定した状態で送出することができる。
また、ギアを連動させることによる動力伝達手段を採用しているので、ゴムローラ等を使用した動力伝達手段を採用した場合に比して、経年時における劣化も少ないので、メンテナンス作業を軽減することができる。
【００８２】
また、図３に示すように、シート１３は上記シート１３の開口部６１は周長さ寸法が略１０２０ｍｍにより形成され、筒状体１２は上端部３１の周長さ寸法が略９４０ｍｍに形成されていると共に下端部２８の周長さ寸法が略４３０ｍｍに形成されていることから、内周面上に配置された上記シート１３は、上記筒状体１２の下端部２８に至るに従って径方向に縮小されていると共に上記筒状体１２の下端部２８の直径寸法が略１３７ｍｍに形成されているので、図８に示すような幅方向寸法ｌ２が略１３７ｍｍからなる排泄物収納袋１５を作成することができる。
この場合、上記シート１３の幅方向に沿って縮小されることにより溶着及び溶断されて上記排泄物収納袋１５が作成されることから、図８に示すように、上記シート１３の幅方向に沿って複数の皺Ｄが形成される。
【００８３】
このように、上記シート１３には幅方向に沿って複数の皺Ｄが形成されることから、上記シート１３の皺が均等に形成されない場合には、シート溶着溶断部１６により上記シート１３の溶着及び溶断を行う際に、上記シート１３の厚さ寸法が均等に形成されず、溶着部位によっては上記シート１３が確実に溶着されることなく密閉されない可能性も考えられる。
特に、シート１３の中に排泄物が入り重量が嵩む場合には、上記シート１３は、上記ローラ部１７に挟持された上記シート１３の幅方向両端部側に引っ張られ、上記シート１３の幅方向中央部には皺が形成されないこととなり、その結果、皺が形成されていない部位においては上記シート１３の厚さ寸法が薄く、上記シート１３の厚さ寸法が均等に形成されない。
このような事態を排除するため、図７に示すように、上記筒状体１２には、上記複数の皺Ｄを均等に形成するための合計１０本の突条部１２５が形成されている。
また、上記１０本の突条部１２５は、上記筒状体１２の上端部３１から下端部２８に亘って直線状に形成されると共に上記筒状体１２の径方向Ｂに沿って夫々５本ずつ互いに対向するように形成されている。
また、図５及び図９に示すように、上記ローラ部１７，１７は、回転方向において互いに摺接するように一対に配置されたローラ５９ａ，６０ａ又は５９ｂ、６０ｂにより構成され、上記ローラ部１７，１７は、ローラ軸５６ａ，５６ｂ，５８ａ，５８ｂ方向において所定間隔をおいて互いに対向して配置され、上記筒状体１２の１０本の突条部１２５は、上記対向する各ローラ部１７，１７の間に配置されている。
また、上記１０本の突条部１２５を有する筒状体１２は、図９に示すような一対のローラ部１７，１７が上記シート１３の幅方向端部を夫々保持して上記シート１３を送出する場合には、上記シート１３が上記ローラ部１７により上記シート１３の幅方向端部を夫々保持されて上記筒状体１２の内周面３０上に配置された場合に、上記突条部１２５が所定間隔寸法をおいて５本形成された上記突条部１２５が上記シート１３を挟んで対向し、上記ローラ部１７，１７とは、上下方向において重複しない位置に配置されるように配設されている。
従って、図５及び図９に示すように、上記ローラ部１７，１７は、回転方向において互いに摺接するように一対に配置されたローラ５９ａ，６０ａ又は５９ｂ、６０ｂにより構成され、上記ローラ部１７，１７は、ローラ軸５６ａ，５６ｂ，５８ａ，５８ｂ方向において所定間隔をおいて互いに対向して配置され、上記筒状体１２の複数の突条部１２５は、上記対向する各ローラ部１７，１７の間に配置されているので、従来のように上記ローラ部１７，１７により下方に引き込まれる場合に、上記ローラ部１７，１７に上記シート１３が引き込まれた部位にのみ皺が形成され、上記ローラ部１７，１７以外の部位においては皺の発生が少なく、上記シート１３の幅方向に沿って皺が均等に形成されないという事態を排除でき、上記シート１３に形成された皺の略均等状態を保持しながら上記シート１３は上記筒状体１２の内周面３０に沿って送出される。
そして、従来のように上記一対のローラ部によりシートが下方に引張される場合に、上記一対のローラ部１７，１７に上記シート１３が引き込まれることによりローラ５９ａ，６０ａ又は５９ｂ、６０ｂに引き込まれた部位のみに皺が寄り、一対のローラ部１７，１７の間に配置されたシート１３の部位に関しては皺が寄らず、結果的にシート１３の厚さが部位によって異なり、溶着した場合に部分的に厚い部位と薄い部位とができ、排泄物を収納した場合に薄い部位に関し漏れが生ずる可能性がある、という事態を排除することができる。
即ち、上記シート１３がローラ部１７，１７によって下方に引張される場合であっても、一対のローラ部１７，１７によって引き込まれるシート１３の部位の間の部位において上記複数の突条部１２５により皺が形成されるため、シート１３において形成された皺の均等状態を保持しながら上記シート１３は上記筒状体１２の内周面３０に沿って送出されることから、溶着される際のシート１３の幅方向において略均一に皺を発生させて、皺を含めたシート１３の厚さを略均一に形成することができることから、上記シート溶着溶断部１６により上記シート１３の溶着及び溶断をより確実に行うことができ、密閉性の確保された排泄物収納袋１５を作成することができるので、排泄物収納袋１５から排泄物の漏れ出しを確実に防止することができる。
【００８４】
また、シート１３を送出する際に、縮小された上記シート１３が再び拡張されてギア等に巻き込まれる可能性を有している。
この上記シート１３のギア等への巻き込みを防止するために、図９に示すように、一方の巻き込み防止プレート２７ａが上記一方の第一のローラ５９ａと一方の第二のローラ６０ａの当接部分と上記一方の第一の伝達ギア５５ａと一方の第二の伝達ギア５７ａとの歯合部分との間であって、上記保持板４６から上記一方の第一の伝達ギア５５ａと一方の第二の伝達ギア５７ａとの歯合部分をガードしうる所定の高さ寸法を有して下方に向って立設され、また、同様に、巻き込み防止プレート２７ｂは、上記一方の第一のローラ５９ｂと一方の第二のローラ６０ｂとの当接部分と、上記一方の第一の伝達ギア５５ｂと一方の第二の伝達ギア５７ｂとの歯合部分との間であって、上記保持板４６から上記一方の第一の伝達ギア５５ｂと一方の第二の伝達ギア５７ｂとの歯合部分をガードしうる所定の高さ寸法を有して下方に向って立設されている。
従って、上記シート供給部１４が動作した場合であっても、上記シート１３の幅方向への移動が規制され、上記シート１３の幅方向両端部が上記一方の第一の伝達ギア５５ａと一方の第二の伝達ギア５７ａ、及び上記他方の第一の伝達ギア５５ｂと他方の第二の伝達ギア５７ｂに巻き込まれることを防止することができる。
【００８５】
この場合、図９に示すように、上記巻き込み防止プレート２７ａ，２７ｂは対向するように配置され、一方の巻き込み防止プレート２７ａと他方の巻き込み防止プレート２７ｂとの間の距離寸法が略１４０ｍｍになるように配置されているので、上記排泄物収納袋１５の幅方向寸法を略１４０ｍｍに規制することができる。
【００８６】
そして、図９に示すように、上記ローラ部１７により送出された上記シート１３は、制御部１１４の制御により所定の位置で停止する。
その後、駆動部２０の駆動により、保持板４６の長さ方向中央部に向ってスライドバー６４ａ及びスライドバー６４ｂの夫々がスライドして移動する。
ここで、上記駆動部２０は、スライドバー駆動用モータ６５の駆動により動作し、上記スライドバー駆動用モータ６５が上記スライドバー駆動用モータ６５の駆動シャフト６７を回動させることにより、上記駆動シャフト６７の先端に固定されたモータギア６８を回動させる。
そして、上記モータギア６８が回動することにより、上記モータギア６８に歯合された駆動ギア６９が上記駆動ギア６９に固定された駆動軸７０と共に回動し、上記駆動ギア７０の長さ方向両端部に固定された回転ホイール７１ａ，７１ｂが連動して回動する。
【００８７】
そして、図１０に示すように、上記回転ホイール７１ａ，７１ｂとスライドバー６４ａ，６４ｂには上記回転ホイール７１ａ，７１ｂの回転動作を直線動作に変換しうる短アーム７２ａ，７２ｂ，長アーム７３ａ，７３ｂが回動可能に取り付けられ、スライドバー駆動用モータ６５の駆動により上記スライドバー６４ａ，６４ｂを連動して駆動させるように構成されているので、保持板４６の長さ方向中央部に対する上記スライドバー６４ａ，６４ｂの夫々の位置関係を均等に保持しながらスライドバー６４ａ及びスライドバー６４ｂがスライド動作して上記ヒートシール端子部１８に上記押圧部材２１を押圧できるので、ヒートシール端子部１８に押圧部材２１を安定して押圧することができる。
【００８８】
そして、図９及び図１０に示すように、上記スライドバー６４ａ，６４ｂのスライド動作により、上記保持板４６の長さ方向中央側に位置する上記シート押さえ部２５の押さえ片部８０ａと押さえ片部８０ｂとが上記シート１３を介して上記保持板４６の長さ方向中央部でコイルスプリング８１ａ，８１ａ，８１ｂ，８１の付勢力に抗して圧接されることにより、上記シート溶着溶断部１６の下方で上記シート１３を保持する。
その結果、径方向に縮小されることにより形成された上記シート１３の皺を均等な状態で保持しうると共に上記シート１３に収納された排泄物Ａの重量が上記シート１３に付加された状態でシート１３の溶着及び溶断が行われることを防止できるので、シート１３の溶着及び溶断をより確実に行うことにより密閉性の確保された排泄物収納袋１５を作成することができる。
また、上記押さえ片部８０ａ，８０ｂの表面にはシート押さえゴム（図示せず）が固定されているので、上記シート１３が保持される場合の滑りを防止して上記シート１３の保持を安定して行うことができる。
【００８９】
その後、図１１及び図１２に示すように、上記スライドバー６４ａ，６４ｂのスライド動作により、上記ヒートシール端子部１８に押圧部材２１が圧接され、図５に示すように、上記シート１３が保持される。
また、図１３に示すように、上記ヒートシール端子部１８に押圧部材２１が圧接される場合に生じる衝撃を緩和しうると共にシート１３の保持状態を維持しうる押圧力調整部８５を有しており、上記押圧力調整部８５は、挿通管８８，８８を挿通した付勢部材としてのコイルスプリング２６ａ，２６ｂが圧接ワッシャー８９，８９と上記取付孔８６の段差面９６，９６を付勢するように配置され、頭部９１，９１を有する先端部９８がナット９０，９０で固定された棒軸部８７，８７が取付孔８６，８６と挿通管８８，８８に挿通されることにより構成されているので、付勢部材としてのコイルスプリング２６ａ，２６ｂの付勢力に抗して上記スライドバー６４ａは後退して、圧接時の上記駆動部２０への機械的負荷による衝撃を緩和することもできる。
また、圧接時に、スラードバー６４ａは上記棒軸部８７，８７に対して相対的に後退するように移動するので、接触後に付勢部材としてのコイルスプリング２６ａ，２６ｂの付勢力により、上記ヒートシール端子部１８と上記押圧部材２１とが良好に圧接しうるように前進する。
その結果、圧接状態を保持して上記シート１３の保持状態を維持することができるので、圧接時におけるシート１３の厚さ方向に作用するシート１３に対しての力を緩和してシート１３溶着時の破断の事態を回避できると共に圧接状態を保持することができる。
【００９０】
そして、図５に示すように、シート溶着溶断部１６の下方でシート押さえ部２５により保持された状態でシート１３の溶着及び溶断を行うことができるので、シート溶着溶断部１６によりシート１３の溶着及び溶断をより確実に行うことにより密閉性の確保された排泄物収納袋１５を作成することができる。
また、図６（ａ）〜（ｃ）に示すように、上記シート１３の溶着及び溶断する場合には、シート１３をヒートシール端子部１８と押圧部材２１に挟み込みこんだ状態で、上記ヒートシール端子部１８に電源を供給することにより行う。
まず、上記シート溶着溶断部１６の上記ヒートシール端子部１８に直流電圧１０Ｖであって２５Ａの電流を約１．５秒間供給してヒータ温度を約１１５度に設定することにより、樹脂製の上記シート１３を液体状に溶融する。
この場合、図６（ａ）に示すように、上記ヒートシール端子部１８は、基板部１８ａと、上記基板部１８ａの幅方向の略中央部に長さ方向に沿って基板突条部２２とを有し、上記基板部１８ａの幅方向両端部には、上記反基板突条部２２方向へ折曲されることにより、上記基板部１８ａの幅方向の略中央部から幅方向端部に亘って反基板突条部２２方向に緩やかに傾斜する傾斜面２２ａが形成されて、上記基部１９の壁部２３，２３により形成された溝部６３内に収納固定され、上記壁部２３，２３の内側壁部を形成する上記溝部６３の対向する内側面部２３ａ，２３ａの厚さ方向内端部が上記ヒートシール端子部１８の幅方向両端部に接しており、また、上記基部１９の溝部６３内に上記ヒートシール端子部１８が収納固定された場合に、上記基部１９の壁部２３，２３の厚さ寸法は、上記ヒートシール端子部１８の基板突条部２２の高さ寸法より小さく形成され、図６（ｂ）に示すように、上記シートシール端子部１８は、上記溝部６３内において上記基板突条部２２が厚さ方向―側面よりも厚さ方向外方へ突出しうるように固定されており、また、上記ヒートシール端子部１８が上記溝部６３内に収納固定された場合には、上記溝部６３の対向する内側面部２３ａ，２３ａと上記基板部１８ａの幅方向両端部との間には、夫々、空隙部２４，２４が形成されているので、図６（ｂ）に示すようなシート１３をヒートシール端子部１８と押圧部材２１に挟み込みこんだ状態において、上記ヒートシール端子部１８に直流電圧１０Ｖであって２５Ａの電流を約１．５秒間供給することにより、上記シート１３は液体状に溶融することにより空隙部２４に流れ込む。
【００９１】
そして、上記ヒートシール端子部１８に上記押圧部材２１を圧接させた状態で供給電源を遮断して、約４０秒間自然冷却して溶融した液体状のシート樹脂を固化させる。
この場合、空隙部２４，２４と上記押圧部材２１との間には、上記シート１３の溶融した上記シート１３の液体状のシート樹脂が上記空隙部２４，２４に滞留して固化することにより、上記シート１３には上記シート１３が溶着される部位に溶着壁部１２４，１２４が形成される。
また、径方向に縮小されることにより生じた上記シート１３の皺により形成されたシート１３の厚さ寸法の厚い箇所と薄い箇所とを均一化することができると共に上記空隙部２４に滞留した液体状のシート樹脂が固化することにより、図６（ｃ）に示すように、溶着壁部１２４，１２４が形成される。
その後、上記ヒートシール端子部１８と上記押圧部材２１との押圧状態を解除し、上記ヒートシール端子部１８と上記押圧部材２１とを上記駆動部２０の動作により離間させる。
【００９２】
この結果、図６（ｂ）及び（ｃ）に示すように、上記シート１３に上記溶着壁部１２４，１２４が形成されて上記シート１３の溶着端部の溶着を確実に行うことにより、図８に示すような密閉性の確保された排泄物収納袋１５を作成できるので、排泄物収納袋１５から排泄物の漏れ出しを確実に防止することができる。
また、シート溶着溶断部１６のシート１３と当接する部位には、フッ素樹脂加工が施されており、シート１３の溶着時に高温で溶融した溶着部位が溶着溶断部に絡みつくことなく溶断後にシート溶着溶断部１６から離れやすいことから、シート１３の溶断をより確実に行うことができ、密閉性の確保された排泄物収納袋１５を作成することができる。その結果、溶着時におけるシート１３の溶着部位の溶着溶断部１６への絡みつきや、離れ難さから起こる不完全な溶着を排除することができ、確実に密封された溶着部位を形成することが可能となるため、排泄物収納袋１５から排泄物Ａの漏れ出しを確実に防止することができる。
また、従来、図１６に示すように、上記シート溶着部位のヒートシール端子部２０７への絡みつきや離れ難さを排除するためにフッ素樹脂加工が施されたテープ２１１を貼付していたが、本発明に係るトイレ装置１０においては、シート溶着溶断部１６のシート１３との当接部位にはフッ素樹脂加工が施されていることからテープ１３の交換を必要とせず、従来のようにフッ素樹脂加工が施された交換を必要とする消耗頻度が高いテープ２１１をヒートシール端子部２０７に使用する場合に比して、メンテナンス作業を軽減しうるトイレ装置１０を提供することができる。
また、上記シート溶着溶断部１６のシール手段は一般的にインパルスシール手段と呼ばれている。このインパルスシール手段は、瞬間的に大電流を供給してヒートシール端子部１８を発熱させることにより上記シート１３を溶融させて溶着する方法であるので、溶着時のみの短時間の通電により上記シート１３を溶着することができるので、全体として消費電力を軽減させることができる。
【００９３】
ここで、従来技術と本願発明に係るトイレ装置１０との技術的な差異を比較検討する。
市場において一般に販売されていたこの種の従来のトイレ装置にあっては、図１６に示すように、シート溶着溶断部２１２は、シート２１１の幅方向に沿って配置固定されたヒートシール端子部２０７と、ヒートシール端子部２０７に対向して配設されると共に上記ヒートシール端子部２０７に駆動部材により駆動されて圧接しうる板状の押圧部材２０８とを有し、ヒートシール端子部２０７は基材２０９に固定され、ヒートシール端子部２０７は、フッ素樹脂加工が施されたテープ２１０により被覆され構成されていた。
上記シート溶着溶断部２０６を用いてシート２１１を溶断する場合には、ヒートシール端子部２０７に押圧部材２０８をテープ２１０を介して圧接させて、ヒートシール端子部２０７に通電することによりシート２１１を幅方向に沿って溶断して長さ方向両端部が夫々溶断されて溶着された所定の長さ寸法の収納袋を作成していた。
この場合、ヒートシール端子部２０７上に固定されたフッ素樹脂加工が施されたテープ２１０は、溶断溶着時のヒートシール端子部２０７とシート２１１との貼り付きを防止してヒートシール端子部２０７とシート２１１との間の離間性を向上させるために用いられている。
しかしながら、ヒートシール端子部２０７にフッ素樹脂加工が施されたテープ２１０が貼られている場合には、シート２１１の溶断溶着時に、テープ２１０を介して熱が伝達されることから、溶着溶断に必要な高温度が瞬間的かつ直接的に伝わらず、その結果、シート２１１の溶断時にシート２１１がヒートシール端子部２０７に付着する場合があり、溶断性能が良好ではないという不具合を有していた。
また、ヒートシール端子部２０７は、フッ素樹脂加工が施されたテープ２１０により被覆されていることから、シート２１１の溶断溶着の使用回数が増すとテープ２１０には破損が生じ易いのでテープ２１０は消耗頻度が高く、また、テープ２１０に破損が生じた場合にはテープ２１０の交換する必要性が生じ、その結果テープ２１０の交換頻度が増えるため、メンテナンスの回数が多くなるという不具合を有していた。
しかしながら、図６に示すように、本発明に係るトイレ装置１０にあっては、上記ヒートシール端子部１８は、フッ素樹脂加工が施されているので、溶断時における上記シート１３との離間性が良好であり、また、テープの交換を必要としないことから、従来のようにフッ素樹脂加工が施された交換を必要とする消耗頻度が高いテープをシート溶着溶断部１６に使用する場合に比して、メンテナンス作業を軽減させることができる。
【００９４】
また、図６に示すように、上記押圧部材２１は、耐熱性を有する弾性樹脂素材により形成され、上記ヒートシール端子部１８と上記押圧部材２１との圧接状態が良好となり、シート１３の溶着及び溶断をより確実に行うことができ、密閉性の確保された排泄物収納袋１５を作成することができるので、排泄物収納袋１５から排泄物の漏れ出しを確実に防止することができる。
【００９５】
そして、図５に示すように、上記シート１３を溶着した後に溶断することによって作成された排泄物収納袋１５は、図２に示すようなトイレ本体部３８の下方に配置された引出部３４に収納されるので、排泄物収納袋１５を廃棄したい場合には、上記トイレ本体３８の下方に配置された上記引出部３４をトイレ装置１０の背面側から引き出して、所定数量貯まった段階で、上記引出部３４に収納された上記排泄物収納袋１５を取り出して適宜廃棄することができる。
【００９６】
ここで、上記シート１３をトイレ装置１０に装着する方法について説明する。
上記シート１３は長さ方向寸法略１５ｍに形成されているので、上記シート１４をその都度補充する必要はないが、上記シート１３は消耗品であるため、使い切った場合や初めて使用する場合には、上記シート１３をトイレ装置１０へ装着する必要性が生じる。
上記シート１３をトイレ装置１０に装着する場合には、まず、図３及び図５に示すように、上記シート１３を筒状体１２の上記シート１３の一端部２９を上記筒状体１２の開口部４８に挿通することにより上記筒状体１２の内周面３０上に沿って配置し、上記筒状体１２の上端部３１で外方に折り返すことにより、図５に示すように、上記筒状体１２の外周面３２に沿って配置すると共に折り畳む。
そして、図５に示すように、上記シート１３の幅方向両端部をローラ部１７に装着することにより上記シート１３を送出することができるが、図９に示すような上記ローラ部１７の、一方の第一のローラ５９ａと一方の第二のローラ６０ａとが当接している状態、及び他方の第一のローラ５９ｂと他方の第二のローラ６０ｂとが当接している状態であるので、これらの当接状態を解放する必要がある。
この場合、図４に示すようなレバー部１００をスライド溝孔１０１にスライドさせ、係止溝１２０に係止させることにより、ローラ部１７の当接状態を解除部３３により解放する。  
具体的には、図９に示すように、上記レバー部１００のスライド操作により、操作アーム１０２を支軸部１０３を支軸として回動させ、上記操作アーム１０２の係止板１０６によりスライド軸部１０４を係止して上記スライド軸部１０４と上記第二のローラ軸５８ａ，５８ｂを一体にスライドさせることにより、上記第二のローラ６０ａ，６０ｂを上記第一のローラ５９ａ，５９ｂから離間させる。
そして、図９に示すように、一方の第一のローラ５９ａと一方の第二のローラ６０ａとが当接されている状態，及び他方の第一のローラ５９ｂと他方の第二のローラ６０ｂとが当接されている状態から、第二のローラ６０ａ，６０ｂを第一のローラ５９ａ，５９ｂから離間させる。
その後、上記シート１３の幅方向両端部を上記ローラ部１７に挟持させうるように配置した後に、離間させた上記第二のローラ６０ａ，６０ｂを上記シート１３を介して上記第一のローラ５９ａ，５９ｂに当接させることにより、上記シート１４の幅方向両端部を上記ローラ部１７に挟持させる。
また、上記シート１３を交換する場合には、上記と同様の手順で、第二のローラ６０ａ，６０ｂを第一のローラ５９ａ，５９ｂから離間させた後に残存したシートを除去し、新たなシート１３を装着する。
このように上記シート１３を容易に脱着することができるので、取り扱い及びメンテナンス作業が容易である。
【００９７】
また、図９に示すように、上記トイレ装置１０には制御部１１４が設けられていることから上記制御部１１４により各種制御を可能とする。
図１に示すように、上記トイレ本体部３８の一方の側面部４１の前方に始動スイッチ４４に内装された動作状態を報知しうるＬＥＤランプ４３を設けることにより、トイレ装置１０の動作状態又は異常状態を上記ＬＥＤランプ４３を点灯、消灯、点滅等させて報知することができる。
従って、ＬＥＤランプ４３により動作状態及び異常状態を視認しうるので、安全性の確保されたトイレ装置１０を提供することができる。
【００９８】
また、図９〜図１２に示すように、上記一方の板状フレーム６２ｂの外側面の一端部には、上記スライドバー６４ａの動作開始位置にある場合に、上記スライドバー６４ａのスライド保持部１１０ａの上端部１１１ａに当接してオン状態になりうるリミットスイッチ１１２が固定され、外側面の略中央部には、上記ヒートシール端子部１６が上記押圧部材２１に押圧された場合に上記スライドバー６４ｂのスライド保持部１１０ｂの上端部１１１ｂに当接してオン状態になりうるリミットスイッチ１１３が固定されていることにより、上記リミットスイッチ１１２，１１３がオン状態の場合に上記スライドバー６４ａ，６４ｂが停止するように上記制御部１１４により制御されていることから、上記スライドバー６４ａ，６４ｂの過動作による機械的破損を防止できる。
さらに、この場合、指定時間で上記スライドバー６４ａ，６４ｂを停止させるように制御部１１４により制御されているため、上記スライドバー６４ａ，６４ｂの過動作による機械的破損を防止でき、上記リミットスイッチ１１２，１１３による制御と併せて二重の安全制御がなされていることにより信頼性の高いトイレ装置を提供することができる。
【００９９】
また、図５に示すように、上記シート供給部１４と駆動部２０は、動作が停止した場合には、動作停止時点の位置から再動作するように制御されていることから、例えば、蓋部３５が動作途中で開けられてトイレ装置１０の動作が途中で停止した場合であっても、再度最初の状態に戻って作動し始めることが無いことから、上記シート１３の余分な送出を防止することができるので、上記シート１３を無駄にすることがなくコストを低減しうるトイレ装置１０を提供することができる。
【０１００】
また、図９に示すように、温度ヒューズ部１２２が設けられており、高温時に上記温度ヒューズ１２２が溶断された場合には、上記ＬＥＤランプ４３が点滅するように制御されている。
また、ヒートシール端子部１８の一端部に接続された温度検知部７９を有しており、ヒートシール端子部１８の温度が高温異常である場合に、上記ＬＥＤランプ４３が点滅するように制御されている。
従って、ＬＥＤランプ４３により温度状態の異常を視認しうるので、安全性の確保されたトイレ装置１０を提供することができる。
【０１０１】
また、制御部１１４にはメンテナンス用のコントロールボックス（図示せず）を接続することにより各種設定時間等の変更・各動作状態の確認を容易に行うことができる。従って、コントロールボックス（図示せず）を接続することによりメンテナンス作業を容易にすることができる。
【産業上の利用可能性】
【０１０２】
本発明は、トイレ装置、特に、筒状のシートを所定寸法毎に溶着して溶断することにより排泄物を収納した排泄物収納袋を形成しうるトイレ装置に広く適用できる。
【図面の簡単な説明】
【０１０３】
【図１】本発明に係るトイレ装置の一実施の形態を示す斜視図である。
【図２】本発明に係るトイレ装置の一実施の形態を示し、トイレ装置を後方から見た場合の斜視図である。
【図３】本発明に係るトイレ装置の一実施の形態を示し、シート及び筒状体の載置状態を示す斜視図である。
【図４】本発明に係るトイレ装置の一実施の形態を示し、便座部を開放した場合の斜視図である。
【図５】本発明に係るトイレ装置のシート供給部とシート溶着溶断部との関係を示す一実施例を示す概念図である。
【図６】本発明に係るトイレ装置の一実施の形態を示し、シート溶着溶断部の動作時の断面図である。
【図７】本発明に係るトイレ装置の一実施の形態を示し、筒状体の（ａ）は斜視図、（ｂ）は平面図、（ｃ）は側面図である。
【図８】本発明に係るトイレ装置により作成された排泄物収納袋の一実施の形態を示す斜視図である。
【図９】本発明に係るトイレ装置の一実施の形態を示し、トイレ装置を底面側から見た場合の平面図であって、駆動部が動作する前の状態を示す図である。
【図１０】本発明に係るトイレ装置の一実施の形態を示し、トイレ装置を側面側から見た場合の断面図であって、駆動部が動作する前の状態を示す図である。
【図１１】本発明に係るトイレ装置の一実施の形態を示し、トイレ装置を底面側から見た場合の平面図であって、シートに溶着及び溶断が施される状態を示す図である。
【図１２】本発明に係るトイレ装置の一実施の形態を示し、トイレ装置を側面側から見た場合の断面図であって、シートに溶着及び溶断が施される状態を示す図である。
【図１３】本発明に係るトイレ装置の一実施の形態を示し、押圧力調整部を示す平面図である。
【図１４】従来のトイレ装置を示す斜視図である。
【図１５】従来のトイレ装置を底面側から見た場合の平面図である。
【図１６】従来のシート溶着溶断部を示す断面図である。
【符号の説明】
【０１０４】
１０    トイレ装置
１１    便座部
１２    筒状体
１３    シート
１４    シート供給部
１５    排泄物収納袋
１６    シート溶着溶断部
１７    ローラ部
１８    ヒートシール端子部
１８ａ  基板部
１９    基部
２０    駆動部
２１    押圧部材
２２    基板突条部
２２ａ  傾斜面
２３    壁部
２３ａ  内側面部
２４    空隙部
２５    シート押さえ部
２６    付勢部材
２７ａ  巻き込み防止プレート
２７ｂ  巻き込み防止プレート
２８    筒状体の下端部
２９    シートの一端部
３０    筒状体の内周面
３１    筒状体の上端部
３２    筒状体の外周面
３３    解除部
３４    引出部
３５    蓋部
３６    便座部の開口部
３７    肘掛け部
３８    トイレ本体部
３９    車輪部
４０    脚部
４１    トイレ本体の一方の側面部
４２    主電源スイッチ
４３    ＬＥＤランプ
４４    始動スイッチ
４５    蓋スイッチ
４６    保持板
４７    保持板の開口部
４８    筒状体の開口部
４９    フィルム送りモータ
５０    シャフト
５１    モータギア
５２    駆動軸
５３    駆動ギア
５４ａ  ローラギア
５４ｂ  ローラギア
５５ａ  第一の伝達ギア
５５ｂ  第一の伝達ギア
５６ａ  第一のローラ軸
５６ｂ  第一のローラ軸
５７ａ  第二の伝達ギア
５７ｂ  第二の伝達ギア
５８ａ  第二のローラ軸
５８ｂ  第二のローラ軸
５９ａ  第一のローラ
５９ｂ  第一のローラ
６０ａ  第二のローラ
６０ｂ  第二のローラ
６１    シートの開口部
６２ａ  板状フレーム
６２ｂ  板状フレーム
６３    溝部
６４ａ  スライドバー
６４ｂ  スライドバー
６５    スライドバー駆動用モータ
６６    伝達部
６７    駆動シャフト
６８    モータギア
６９    駆動ギア
７０    駆動軸
７１ａ  回転ホイール
７１ｂ  回転ホイール
７２ａ  短アーム
７２ｂ  短アーム
７３ａ  長アーム
７３ｂ  長アーム
７４ａ  回転ホイールの一方の外周端部
７４ｂ  回転ホイールの一方の外周端部
７５ａ  取付部
７５ｂ  取付部
７６ａ  回転ホイールの他方の外周端部
７６ｂ  回転ホイールの他方の外周端部
７７ａ  取付部
７７ｂ  取付部
７８ａ  電流供給端子
７８ｂ  電流供給端子
７９    温度検知部
８０ａ  押さえ片部
８０ｂ  押さえ片部
８１ａ  コイルスプリング
８１ｂ  コイルスプリング
８２ａ  固定片
８２ｂ  固定片
８３ａ  係止片
８３ｂ  係止片
８４ａ  スライド棒
８４ｂ  スライド棒
８５    押圧力調整部
８６    取付孔
８７    棒軸部
８８    挿通管
８９    圧接ワッシャー
９０    ナット
９１    頭部
９２    短筒部
９３    小径筒部
９４    大径筒部
９５    段差面
９６    段差面
９７    下端部
９８    先端部
９９    軸部
１００  レバー部
１０１  スライド溝孔
１０２  操作アーム
１０３    支軸部
１０４    スライド軸部
１０５ａ  固定板
１０５ｂ  固定板
１０６    係止板
１０７    第一のスライド孔部
１０８    第二のスライド孔部
１０９    付勢部材
１１０ａ  スライド保持部
１１０ｂ  スライド保持部
１１１ａ  スライド保持部の上端部
１１１ｂ  スライド保持部の上端部
１１２    リミットスイッチ
１１３    リミットスイッチ
１１４    制御部
１１５    ヒートシール端子部への電流供給用トランス
１１６    トランス
１１７    制御基板部
１１８    シャーシ板
１１９    ベース板
１２０    係止溝
１２１    付勢部材
１２２    温度ヒューズ部
１２３    把持バー
１２４    溶着壁部
１２５    突条部
２００    トイレ装置
２０１    便座部
２０２    トイレ槽
２０３    シート
２０４    シート供給部
２０５    シート溶着溶断部
２０６    ヒーター棒
２０７    ヒーター棒
２０８    押圧部材
２０９    基材
２１０    テープ
２１１    シート
２１２    シート溶着溶断部
Ａ        排泄物
Ｂ        筒状体の径方向
Ｄ        皺
ｌ        上記基部の壁部の厚さ寸法
ｌ１      基板突条部の高さ寸法
ｌ２      排泄物収納袋の幅方向寸法
【図１】
2009285297.tif 000003
【図２】
2009285297.tif 000004
【図３】
2009285297.tif 000005
【図４】
2009285297.tif 000006
【図５】
2009285297.tif 000007
【図６】
2009285297.tif 000008
【図７】
2009285297.tif 000009
【図８】
2009285297.tif 000010
【図９】
2009285297.tif 000011
【図１０】
2009285297.tif 000012
【図１１】
2009285297.tif 000013
【図１２】
2009285297.tif 000014
【図１３】
2009285297.tif 000015
【図１４】
2009285297.tif 000016
【図１５】
2009285297.tif 000017
【図１６】
2009285297.tif 000018